(57)【要約】【課題】あらかじめ用意される印刷プロファイルの品質を向上する。【解決手段】第１プロバイダーは、第２プロバイダーに、プロバイダープリンターとプロファイル作成ツールを提供し、第２プロバイダーは、それらを使用して、プロバイダープリンターと印刷媒体との組み合わせに応じたプロファイルを含む印刷設定情報を作成し、記憶部に印刷設定情報を送信する処理を、第２プロバイダーが提供する１以上の印刷媒体について実行し、クライアントは、クライアントにおいて印刷に使用されるクライアントプリンターと印刷媒体の組み合わせに応じた印刷設定情報を、記憶部からダウンロードし、クライアントプリンターを制御するソフトウェアに、印刷設定情報に基づく設定を行って、印刷を行い、第１プロバイダーは、クライアントプリンターによって行われた印刷の実績に基づいて決定される報酬を、印刷設定情報を作成した第２プロバイダーに支払う。【選択図】図１
2020170275.tif 000002
【特許請求の範囲】
【請求項１】
プリンターを提供する第１プロバイダーと、印刷媒体を提供する第２プロバイダーと、前記プリンターを使用して前記印刷媒体に印刷を行う１以上のクライアントと、情報を処理し記憶する記憶部とが、ネットワークを介して接続されている印刷システムであって、
前記第１プロバイダーは、前記第２プロバイダーに、プロバイダープリンターと、ソフトウェアとしてのプロファイル作成ツールと、を提供し、
前記第２プロバイダーは、前記プロバイダープリンターと前記プロファイル作成ツールとを使用して、前記プロバイダープリンターと印刷媒体との組み合わせに応じたプロファイルを含む印刷設定情報を作成し、前記印刷設定情報を前記記憶部に記憶させるために、前記記憶部に前記印刷設定情報を送信する処理を、前記第２プロバイダーが提供する１以上の印刷媒体について実行し、
前記クライアントは、
前記クライアントにおいて印刷に使用されるクライアントプリンターと前記印刷に使用される印刷媒体との組み合わせに応じた前記印刷設定情報を、前記記憶部からダウンロードし、
前記クライアントプリンターを制御するソフトウェアまたは前記クライアントプリンターに、前記印刷設定情報に基づく設定を行って、前記印刷を行い、
前記第１プロバイダーは、前記クライアントにおいて前記印刷設定情報に基づく設定が行われた前記クライアントプリンターによって行われた前記印刷の実績に基づいて決定される報酬を、前記印刷設定情報を作成した前記第２プロバイダーに支払う、印刷システム。
【請求項２】
請求項１記載の印刷システムであって、
前記印刷設定情報は、
対象とするプリンターの機種、
対象とする印刷媒体の種類、
前記対象とするプリンターにおいて使用されるインクの種類、
前記対象とするプリンターにおいて使用される印刷モード、
前記対象とするプリンターにおける媒体の送り速度を含む前記プリンターの設定パラメーター、および
前記対象とするプリンターの前記プロファイルを含む、印刷システム。
【請求項３】
請求項１または２記載の印刷システムであって、
前記クライアントは、前記印刷設定情報に基づく設定が行われた前記クライアントプリンターによる前記印刷において使用された前記印刷媒体の量を、測定し、
前記第１プロバイダーは、前記印刷設定情報を作成した前記第２プロバイダーに、前記印刷設定情報に基づく設定が行われた前記クライアントプリンターによる前記印刷において使用された前記印刷媒体の量に基づいて決定される前記報酬を、支払う、印刷システム。
【請求項４】
請求項１または２記載の印刷システムであって、
前記クライアントは、前記印刷設定情報に基づく設定が行われた前記クライアントプリンターによる前記印刷において使用されたインクの量を、測定し、
前記第１プロバイダーは、前記印刷設定情報を作成した前記第２プロバイダーに、前記印刷設定情報に基づく設定が行われた前記クライアントプリンターによる前記印刷において使用されたインクの量に基づいて決定される前記報酬を、支払う、印刷システム。
【請求項５】
請求項１または２記載の印刷システムであって、
前記記憶部は、前記印刷設定情報ごとに、前記クライアントによってダウンロードされた回数を、測定し、
前記第１プロバイダーは、前記印刷設定情報を作成した前記第２プロバイダーに、前記印刷設定情報がダウンロードされた前記回数に基づいて決定される前記報酬を、支払う、印刷システム。
【発明の詳細な説明】
【技術分野】
【０００１】
本開示は、プリンターメーカーからプリンターの供給を受け、メディア供給者から印刷メディアの供給を受ける印刷業者が、顧客の依頼に基づいて印刷メディアに印刷を行う印刷システムに関する。
【背景技術】
【０００２】
従来、印刷プロファイルを提供してユーザーに課金するシステムが存在する（特許文献１）。特許文献１の技術においては、印刷プロファイルのコピーがデザイン・制作会社のパーソナルコンピューターに転送される。デザイン・制作会社では、その印刷プロファイルがパーソナルコンピューターにセットされて、色変換に用いられる。プロファイル管理サーバーでは、印刷プロファイルの転送に当たって、プロファイル情報の使用ログが更新され、その使用ログに基づいて、所定料金を課金する。すなわち、デザイン・制作会社が印刷プロファイルを利用した程度に応じて、デザイン・制作会社からプロファイル管理センターに、支払いが行われる。
【先行技術文献】
【特許文献】
【０００３】
【特許文献１】特開２００３−１０８３２３号公報
【発明の概要】
【発明が解決しようとする課題】
【０００４】
しかし、特許文献１の技術においては、用意される印刷プロファイルの品質を向上するための方策については、何ら考慮されていない。
【課題を解決するための手段】
【０００５】
本開示の一形態によれば、プリンターを提供する第１プロバイダーと、印刷媒体を提供する第２プロバイダーと、前記プリンターを使用して前記印刷媒体に印刷を行う１以上のクライアントと、情報を処理し記憶する記憶部とが、ネットワークを介して接続されている印刷システムが提供される。前記第１プロバイダーは、前記第２プロバイダーに、プロバイダープリンターと、ソフトウェアとしてのプロファイル作成ツールと、を提供し、前記第２プロバイダーは、前記プロバイダープリンターと前記プロファイル作成ツールとを使用して、前記プロバイダープリンターと印刷媒体との組み合わせに応じたプロファイルを含む印刷設定情報を作成し、前記印刷設定情報を前記記憶部に記憶させるために、前記記憶部に前記印刷設定情報を送信する処理を、前記第２プロバイダーが提供する１以上の印刷媒体について実行し、前記クライアントは、前記クライアントにおいて印刷に使用されるクライアントプリンターと前記印刷に使用される印刷媒体との組み合わせに応じた前記印刷設定情報を、前記記憶部からダウンロードし、前記クライアントプリンターを制御するソフトウェアまたは前記クライアントプリンターに、前記印刷設定情報に基づく設定を行って、前記印刷を行い、前記第１プロバイダーは、前記クライアントにおいて前記印刷設定情報に基づく設定が行われた前記クライアントプリンターによって行われた前記印刷の実績に基づいて決定される報酬を、前記印刷設定情報を作成した前記第２プロバイダーに支払う。
【図面の簡単な説明】
【０００６】
【図１】本実施形態の印刷システムＰＳを示す説明図である。
【図２】管理サーバーＳｖに記憶される印刷設定情報Ｉｐｓの構成を示す説明図である。
【図３】管理サーバーＳｖにおける印刷設定情報Ｉｐｓの確認および記憶の処理を示すフローチャートである。
【図４】図１の印刷システムＰＳで利用されるカラーマネジメントシステムの例を示す説明図である。
【図５】ＩＣＣプロファイル５００の構造を模式的に示す図である。
【図６】プロファイルが調整される際にコンピューターの画面上に表示されるユーザーインターフェイス画面８００の例を示す図である。
【図７】目標プリンターの印刷結果を目標とする製品用プリンターの印刷結果の調整の処理を示す説明図である。
【図８】製品用プリンター同士の印刷結果の調整の処理を示す説明図である。
【図９】色変換テーブルとしてのＢ２Ａテーブル６２１および色分版テーブル７５０を作成する処理を示すフローチャートである。
【発明を実施するための形態】
【０００７】
Ａ．印刷システム：
Ａ１．印刷システムの構成：
図１は、本実施形態の印刷システムＰＳを示す説明図である。印刷システムＰＳは、構成要素として、プリンタープロバイダーＰＰと、メディアベンダーＭＶと、印刷業者ＰＣａ，ＰＣｂと、印刷業者ＰＣａの営業所ＰＣａｏと、印刷業者ＰＣａの子会社ＰＣａｓと、管理サーバーＳｖと、注文者ＯＰを含む。印刷業者ＰＣａの子会社ＰＣａｓを印刷業者ＰＣａｓとも表記する。
【０００８】
プリンタープロバイダーＰＰは、プリンターを製造し外部に供給する会社である（図１の下段右部参照）。具体的には、プリンタープロバイダーＰＰは、メディアベンダーＭＶ、印刷業者ＰＣａ，ＰＣｂ、印刷業者ＰＣａの営業所ＰＣａｏ、および印刷業者ＰＣａの子会社ＰＣａｓにおいて使用されるプリンター２００，３００を提供する。プリンター２００，３００は、インクジェットプリンターである。
【０００９】
プリンタープロバイダーＰＰが製造したプリンター２００は、印刷業者ＰＣａ，ＰＣｂ，ＰＣａｓにおいて印刷物を量産するために使用される。印刷業者ＰＣａ，ＰＣｂ，ＰＣａｓにおいて使用されるプリンター２００を、それぞれ「プリンター２００ａ，２００ｂ，２００ａｓ」と表記する（図１の下段左部参照）。
【００１０】
プリンタープロバイダーＰＰが製造したプリンター２００は、メディアベンダーＭＶ、プリンタープロバイダーＰＰおよび管理サーバーＳｖにおいて印刷設定情報Ｉｐｓを生成するために使用される。メディアベンダーＭＶにおいて使用されるプリンター２００を、「プリンター２００ｖ」と表記する。プリンタープロバイダーＰＰにおいて使用されるプリンター２００を、「プリンター２００ｐｐ」と表記する。管理サーバーＳｖにおいて使用されるプリンター２００を、「プリンター２００ｓ」と表記する（図１の上段右部、上段中央部、および下段右部参照）。
【００１１】
プリンター２００ａ，２００ｂ，２００ａｓ，２００ｖ，２００ｐｐ，２００ｓは、同一の機種のプリンターである。本明細書において、プリンター２００ａ，２００ｂ，２００ａｓ，２００ｖ，２００ｐｐ，２００ｓを区別せずに表記する場合には、「プリンター２００」と表記する。プリンター２００は、プリンター２００が生成した印刷物における印刷の状態を測定するためのセンサーを備える。プリンター２００は、具体的には、印刷物に付された色を測色するための分光測色器と、印刷物上に形成された画像を撮影するためのデジタルスチルカメラと、を備える。
【００１２】
プリンタープロバイダーＰＰが製造したプリンター３００は、印刷業者ＰＣａの営業所ＰＣａｏにおいて、印刷見本を生成するために使用される（図１の中段左部参照）。
【００１３】
プリンタープロバイダーＰＰは、コンピューター１００ｐｐと、表示装置１１５ｐｐと、入力装置１１６ｐｐと、プリンター２００ｐｐと、有している（図１の下段右部参照）。コンピューター１００ｐｐは、プリンター２００ｐｐを制御する。コンピューター１００ｐｐは、プロセッサーであるＣＰＵ１１１ｐｐ、ＲＯＭ１１２ｐｐ、およびＲＡＭ１１３ｐｐを備える。本明細書において、「ＲＡＭ」は、半導体メモリーと、固定ディスクとを含む。
【００１４】
コンピューター１００ｐｐには、プリンター２００ｐｐを制御するためのプログラム、ならびにメディアベンダーＭＶおよび印刷業者ＰＣａ，ＰＣｂとの間の対価Ｐｃｖ，Ｐｃｒ，Ｐｃｐ１，Ｐｃｐ２を管理するためのプログラムがインストールされている。コンピューター１００ｐｐにおいては、ハードウェア資源としてのＣＰＵ１１１ｐｐ、ＲＡＭ１１３ｐｐ、およびＲＯＭ１１２ｐｐと、制御プログラムとが協働する。具体的には、ＣＰＵ１１１ｐｐが、ＲＯＭ１１２ｐｐまたは固定ディスクであるＲＡＭ１１３ｐｐに記憶されたコンピュータープログラムを、半導体メモリーであるＲＡＭ１１３ｐｐにロードして実行することによって、様々な機能を実現する。ＣＰＵ１１１ｐｐが取得または生成した情報は、ＲＡＭ１１３ｐｐに格納される。
【００１５】
メディアベンダーＭＶは、様々な種類の印刷媒体ＭＤを製造し外部に供給する会社である（図１の上段右部参照）。図１においては、メディアベンダーＭＶは、一つの構成要素として描かれている。しかし、実際には、メディアベンダーＭＶは、同様の機能を奏し互いに競争関係にある複数の企業である。
【００１６】
印刷媒体ＭＤは、ロールされた長尺の媒体と、シート状の媒体とを含む。メディアベンダーＭＶは、印刷業者ＰＣａ，ＰＣｂ，ＰＣａｓならびに印刷業者ＰＣａの営業所ＰＣａｏにおいて使用される印刷媒体ＭＤを提供する。メディアベンダーＭＶが製造した印刷媒体ＭＤは、印刷業者ＰＣａ，ＰＣｂ，ＰＣａｓにおいて印刷物を量産するために使用される（図１の中央部参照）。メディアベンダーＭＶが製造した印刷媒体ＭＤは、印刷業者ＰＣａの営業所ＰＣａｏにおいて印刷見本を生成するために使用される（図１の中段左部参照）。
【００１７】
同じ画像データに基づいて印刷が行われた場合であっても、使用されるプリンターの機種、使用される印刷媒体ＭＤ、プリンターにおいて使用される印刷モードなどの組み合わせにより、印刷媒体上に表現される印刷結果の外観は異なる。なお、「印刷媒体ＭＤ」は、異なる種類の印刷媒体を含む総称である。
【００１８】
メディアベンダーＭＶは、コンピューター１００ｖと、表示装置１１５ｖと、入力装置１１６ｖと、プリンター２００ｖと、有している（図１の上段右部参照）。コンピューター１００ｖは、プリンター２００ｖを制御する。コンピューター１００ｖは、プロセッサーであるＣＰＵ１１１ｖ、ＲＯＭ１１２ｖ、およびＲＡＭ１１３ｖを備える。
【００１９】
コンピューター１００ｖには、プリンター２００ｖを制御するためのプログラムがインストールされている。コンピューター１００ｖにおいては、ハードウェア資源としてのＣＰＵ１１１ｖ、ＲＡＭ１１３ｖ、およびＲＯＭ１１２ｖと、制御プログラムとが協働する。具体的には、ＣＰＵ１１１ｖが、ＲＯＭ１１２ｖまたは固定ディスクであるＲＡＭ１１３ｖに記憶されたコンピュータープログラムを、半導体メモリーであるＲＡＭ１１３ｖにロードして実行することによって、様々な機能を実現する。ＣＰＵ１１１ｖが取得または生成した情報は、ＲＡＭ１１３ｖに格納される。
【００２０】
印刷業者ＰＣａ，ＰＣｂは、印刷物を生成する会社である（図１の下段左部参照）。印刷業者ＰＣａ，ＰＣｂは、注文者ＯＰから印刷物ＰＭを製造するジョブＪｂの依頼を受けて（図１の下段中央部参照）、プリンター２００ａ，２００ｂを使用して、印刷媒体ＭＤに印刷を行う。印刷業者ＰＣａは、自らが保持するプリンター２００ａによる印刷に加えて、印刷業者ＰＣａの子会社である印刷業者ＰＣａｓが保持するプリンター２００ａｓによる印刷によって、注文者ＯＰから依頼された印刷物ＰＭを生成することができる。
【００２１】
印刷業者ＰＣａは、コンピューター１００ａと、表示装置１１５ａと、入力装置１１６ａと、プリンター２００ａと、有している。コンピューター１００ａは、プリンター２００ａを制御する。コンピューター１００ａは、プロセッサーであるＣＰＵ１１１ａ、ＲＯＭ１１２ａ、およびＲＡＭ１１３ａを備える。
【００２２】
コンピューター１００ａには、プリンター２００ａを制御するためのプログラムがインストールされている。コンピューター１００ａにおいては、ハードウェア資源としてのＣＰＵ１１１ａ、ＲＡＭ１１３ａ、およびＲＯＭ１１２ａと、制御プログラムとが協働する。具体的には、ＣＰＵ１１１ａが、ＲＯＭ１１２ａまたは固定ディスクであるＲＡＭ１１３ａに記憶されたコンピュータープログラムを、半導体メモリーであるＲＡＭ１１３ａにロードして実行することによって、様々な機能を実現する。ＣＰＵ１１１ａが取得または生成した情報は、ＲＡＭ１１３ａに格納される。
【００２３】
印刷業者ＰＣｂは、コンピューター１００ｂと、表示装置１１５ｂと、入力装置１１６ｂと、プリンター２００ｂと、有している。印刷業者ＰＣｂにおいて、コンピューター１００ｂ、表示装置１１５ｂ、入力装置１１６ｂ、およびプリンター２００ｂが奏する機能は、印刷業者ＰＣａにおいて、コンピューター１００ａ、表示装置１１５ａ、入力装置１１６ａ、プリンター２００ａが奏する機能と同じである。印刷業者ＰＣｂ，ＰＣａｓ、ならびに営業所ＰＣａｏが有する構成において、印刷業者ＰＣａが有する構成と対応する構成は、それぞれ末尾の「ａ」に代えて、「ｂ」、「ａｓ」、「ａｏ」を付して示す。
【００２４】
印刷業者ＰＣａｓは、印刷物を生成する会社である。印刷業者ＰＣａｓは、親会社である印刷業者ＰＣａから印刷物を製造するジョブＪｂの依頼を受けて、プリンター２００ａｓを使用して、印刷媒体ＭＤに印刷を行う（図１の下段左部参照）。印刷業者ＰＣａｓは、コンピューター１００ａｓと、表示装置１１５ａｓと、入力装置１１６ａｓと、プリンター２００ａｓと、有している。印刷業者ＰＣａｓにおいて、コンピューター１００ａｓ、表示装置１１５ａｓ、入力装置１１６ａｓ、およびプリンター２００ａｓが奏する機能は、印刷業者ＰＣａにおいて、コンピューター１００ａ、表示装置１１５ａ、入力装置１１６ａ、プリンター２００ａが奏する機能と同じである。
【００２５】
営業所ＰＣａｏは、印刷業者ＰＣａの営業所である（図１の中段左部参照）。営業所ＰＣａｏにおいては、印刷業者ＰＣａの担当者と注文者ＯＰによる打合せが行われ、印刷業者ＰＣａに依頼されるジョブＪｂの内容が特定される。具体的には、印刷業者ＰＣａの担当者と注文者ＯＰによる打合せにおいて、プリンター３００によって生成された印刷見本によって、印刷業者ＰＣａに依頼されるジョブＪｂの内容が特定される。
【００２６】
営業所ＰＣａｏは、コンピューター１００ａｏと、表示装置１１５ａｏと、入力装置１１６ａｏと、プリンター３００と、有している。営業所ＰＣａｏにおいて、コンピューター１００ａｏ、表示装置１１５ａｏ、入力装置１１６ａｏ、およびプリンター３００が奏する機能は、印刷業者ＰＣａにおいて、コンピューター１００ａ、表示装置１１５ａ、入力装置１１６ａ、プリンター２００ａが奏する機能と同様である。
【００２７】
営業所ＰＣａｏにおいて使用されるプリンター３００の機種と、印刷業者ＰＣａ，ＰＣａｓにおいて印刷物の量産のために使用されるプリンター２００ａ，２００ａｓの機種とは、異なっている。営業所ＰＣａｏにおいて使用される印刷媒体ＭＤと、印刷業者ＰＣａ，ＰＣａｓにおいて使用される印刷媒体ＭＤとは、本実施形態においては、同一である。営業所ＰＣａｏは、印刷業者ＰＣａからプリンター３００および印刷媒体ＭＤの供給を受ける。
【００２８】
管理サーバーＳｖは、プリンタープロバイダーＰＰと、メディアベンダーＭＶと、印刷業者ＰＣａ，ＰＣｂと、印刷業者ＰＣａの営業所ＰＣａｏと、印刷業者ＰＣａの子会社ＰＣａｓと、の間で情報を送受信できるコンピューターシステムである（図１の上段中央部参照）。管理サーバーＳｖは、プリンタープロバイダーＰＰ、メディアベンダーＭＶ、印刷業者ＰＣａ，ＰＣｂ、印刷業者ＰＣａの営業所ＰＣａｏ、および印刷業者ＰＣａの子会社ＰＣａｓと、ネットワークを介して接続されている。管理サーバーＳｖは、プリンタープロバイダーＰＰ、メディアベンダーＭＶ、印刷業者ＰＣａ，ＰＣｂ、印刷業者ＰＣａの営業所ＰＣａｏ、および印刷業者ＰＣａの子会社ＰＣａｓから得た情報を処理し、記憶する。
【００２９】
管理サーバーＳｖは、コンピューター１００ｓと、表示装置１１５ｓと、入力装置１１６ｓと、プリンター２００ｓと、有している。管理サーバーＳｖにおいて、表示装置１１５ｓ、入力装置１１６ｓ、およびプリンター２００ｓが奏する機能は、印刷業者ＰＣａにおいて、表示装置１１５ａ、入力装置１１６ａ、プリンター２００ａが奏する機能と同じである。管理サーバーＳｖは、プリンター２００ｓ以外に、プリンタープロバイダーＰＰから提供される様々な機種のプリンターを備えている。
【００３０】
コンピューター１００ｓは、印刷業者ＰＣａにおいてコンピューター１００ａが奏する機能に加えて、メディアベンダーＭＶのコンピューター１００ｖと、印刷業者ＰＣａ，ＰＣｂ，ＰＣａｓのコンピューター１００，１００ｂ，１００ａｓと、営業所ＰＣａｏのコンピューター１００ａｏとの間で、情報を送受信する機能を奏する。
【００３１】
コンピューター１００ｓは、プロセッサーであるＣＰＵ１１１ｓ、ＲＯＭ１１２ｓ、およびＲＡＭ１１３ｓを備える。コンピューター１００ｓには、上述の情報の送受信を行うためのプログラム、およびプリンター２００ｓを制御するためのプログラムが、インストールされている。コンピューター１００ｓにおいては、ハードウェア資源としてのＣＰＵ１１１ｓ、ＲＡＭ１１３ｓ、およびＲＯＭ１１２ｓと、制御プログラムとが協働する。具体的には、ＣＰＵ１１１ｓが、ＲＯＭ１１２ｓまたは固定ディスクであるＲＡＭ１１３ｓに記憶されたコンピュータープログラムを、半導体メモリーであるＲＡＭ１１３ｓにロードして実行することによって、様々な機能を実現する。ＣＰＵ１１１ｓが取得または生成した情報は、ＲＡＭ１１３ｓに格納される。
【００３２】
Ａ２．印刷システムにおける処理：
（１）印刷設定情報の生成およびアップロード：
プリンタープロバイダーＰＰは、プリンター２００ｖとプロファイル作成ツールＰＭＴを用意し、メディアベンダーＭＶに、プリンター２００ｖとプロファイル作成ツールＰＭＴを提供する（図１の中段右部参照）。プロファイル作成ツールＰＭＴは、プリンター２００，３００による印刷を行う際に使用されるプロファイルを作成するためのソフトウェアである。プロファイル作成ツールＰＭＴは、具体的には、コンピューター１００ｖのＣＰＵ１１１ｖにおいて実行される。プロファイルについては、後に説明する。
【００３３】
メディアベンダーＭＶは、プリンター２００ｖとプロファイル作成ツールＰＭＴとを使用して、プリンター２００ｖとメディアベンダーＭＶが製造する様々な種類の印刷媒体ＭＤとの組み合わせに応じたプロファイルを作成する。プロファイルは、印刷データに基づいて、印刷媒体ＭＤに印刷を行う場合に、プリンター２００ｖが最も望ましい色再現を行うための色変換の情報を含む。メディアベンダーＭＶは、そのプロファイルを含む印刷設定情報Ｉｐｓを作成し、管理サーバーＳｖに記憶させるために、管理サーバーＳｖに印刷設定情報Ｉｐｓを送信する（図１の上段中央部参照）。
【００３４】
このような処理は、メディアベンダーＭＶが提供する印刷媒体ＭＤの種類ごとに行われる。その結果、管理サーバーＳｖには、プリンターと印刷媒体ＭＤとの組み合わせに応じたプロファイルをそれぞれ含む１以上の印刷設定情報Ｉｐｓが記憶される。メディアベンダーＭＶは、管理サーバーＳｖに記憶させる印刷設定情報Ｉｐｓの数に応じた対価Ｐｃｖを、プリンタープロバイダーＰＰに支払う（図１の中段右部参照）。具体的な対価Ｐｃｖの支払いの処理は、管理サーバーＳｖを介して行われる。
【００３５】
このような処理を行うことにより、プリンタープロバイダーＰＰは、メディアベンダーＭＶが印刷システムＰＳを活用した程度に応じた対価Ｐｃｖを得ることができる。メディアベンダーＭＶは、プリンタープロバイダーＰＰに支払う対価Ｐｃｖの増加に応じて、印刷システムＰＳを活用して印刷業者ＰＣａ，ＰＣｂ，ＰＣａｓによる印刷媒体ＭＤの利用の促進を、より図ることができる。このため、印刷設定情報Ｉｐｓの数の増加に応じた対価Ｐｃｖの増加は、メディアベンダーＭＶにとって大きな負担と感じられにくい。
【００３６】
メディアベンダーＭＶは、管理サーバーＳｖに印刷設定情報Ｉｐｓを送信する処理において、印刷業者ＰＣａ，ＰＣｂ，ＰＣａｓのうち、管理サーバーＳｖからその印刷設定情報Ｉｐｓをダウンロードすることができる１以上の印刷業者を指定して、印刷設定情報Ｉｐｓを送信する処理を実行することができる。管理サーバーＳｖは、記憶している印刷設定情報Ｉｐｓであって、ダウンロードすることができる印刷業者が指定されてメディアベンダーＭＶから送信された印刷設定情報Ｉｐｓについては、指定された印刷業者のみにダウンロードを認める（図１の中段左部参照）。
【００３７】
たとえば、特別なインクを使用するための印刷設定情報Ｉｐｓの生成を印刷業者ＰＣａから依頼されたメディアベンダーＭＶは、その特別なインクに応じた印刷設定情報Ｉｐｓを生成して、ダウンロードできる印刷業者として印刷業者ＰＣａおよび印刷業者ＰＣａの子会社ＰＣａｓのみを指定して、管理サーバーＳｖに印刷設定情報Ｉｐｓを送信する。そして、管理サーバーＳｖは、その印刷設定情報Ｉｐｓについては、印刷業者ＰＣａおよび印刷業者ＰＣａの子会社ＰＣａｓのみにダウンロードを認める。メディアベンダーＭＶが、特別な印刷媒体の製造を印刷業者ＰＣａから依頼された場合にも、メディアベンダーＭＶおよび管理サーバーＳｖは、同様の処理を行うことができる。
【００３８】
このような処理を行うことにより、メディアベンダーＭＶは、メディアベンダーＭＶとの間で特定の関係にある１以上の印刷業者のみに対して、印刷設定情報Ｉｐｓを提供することができる。指定された１以上の印刷業者は、他の印刷業者が使用できない印刷設定情報Ｉｐｓを利用することができる。
【００３９】
なお、以上で説明したメディアベンダーＭＶによって行われる処理は、印刷媒体ＭＤを製造する会社であるメディアベンダーＭＶ自身によって行われてもよいし、メディアベンダーＭＶの代理店によって行われてもよい。すなわち、メディアベンダーＭＶの代理店が、プリンタープロバイダーＰＰから、プリンター２００ｖとプロファイル作成ツールＰＭＴの提供を受けて、印刷設定情報Ｉｐｓを生成してもよい（図１の上段右部参照）。本実施形態における説明では、メディアベンダーＭＶ自身に加えて、メディアベンダーＭＶの代理店も含めて、「メディアベンダーＭＶ」と表記する。
【００４０】
また、以上で説明したメディアベンダーＭＶによって行われる処理は、プリンタープロバイダーＰＰによっても行われる。プリンタープロバイダーＰＰが、プリンター２００ｐｐとプロファイル作成ツールＰＭＴとを使用して、プリンター２００ｐｐと、メディアベンダーＭＶまたはプリンタープロバイダーＰＰが提供する様々な種類の印刷媒体ＭＤと、の組み合わせに応じたプロファイルを作成する。プリンタープロバイダーＰＰは、そのプロファイルを含む印刷設定情報Ｉｐｓを作成し、管理サーバーＳｖに記憶させるために、管理サーバーＳｖに印刷設定情報Ｉｐｓを送信する（図１の下段右部参照）。このような処理は、メディアベンダーＭＶまたはプリンタープロバイダーＰＰが提供する印刷媒体ＭＤの種類ごとに行われる。
【００４１】
図２は、管理サーバーＳｖに記憶される印刷設定情報Ｉｐｓの構成を示す説明図である。印刷設定情報Ｉｐｓは、対象とするプリンターの機種の情報１０１０、対象とする印刷媒体の種類の情報１０２０、対象とするプリンターにおいて使用されるべきインクの種類の情報１０３０、対象とするプリンターにおいて使用されるべき印刷モードの情報１０４０、対象とするプリンターにおける媒体の送り速度を含むプリンターの動作設定パラメーターの情報１０５０、対象とするプリンターのプロファイルの情報１０６０を含む。
【００４２】
印刷設定情報Ｉｐｓは、さらに、印刷設定情報Ｉｐｓを作成した作成者を表す作成者ＩＤ１１１０、印刷設定情報Ｉｐｓを作成した際の作成方法の情報１１２０、および印刷設定情報Ｉｐｓを使用して印刷を行った場合の印刷結果の品質を表す品質レベル情報１１３０を含む。これら作成者ＩＤ１１１０、作成方法の情報１１２０、品質レベル情報１１３０は、具体的には、プロファイル１０６０内に含まれるタグとして、印刷設定情報Ｉｐｓに含まれている。
【００４３】
印刷モードの情報１０４０によって特定される印刷モードは、プリンターの動作モードである。印刷モードごとに、（ｉ）プリンターの全ノズルのうち印刷において使用されるノズル、（ｉｉ）副走査送り量、（ｉｉｉ）印刷における印刷パス数、（ｉｖ）印刷媒体上に形成されるインクドットの解像度、などが設定されている。「印刷パス数」は、印刷媒体上の１行のラスタラインを形成する際に行われる主走査の回数である。インクドットの「解像度」は、単位長さ、たとえば、１インチ当たりに形成し得るインクドットの数である。
【００４４】
「主走査」とは、印刷において繰り返される印刷媒体と印刷ヘッドとの相対送りであって、印刷媒体が印刷ヘッドと向かい合う位置に搬送される際の送り方向とは垂直な方向に沿って実行される、相対送りである。一部のプリンターにおいては、印刷に際して、主走査が行われない。「副走査」とは、印刷において繰り返される印刷媒体と印刷ヘッドとの相対送りであって、印刷媒体が印刷ヘッドと向かい合う位置に搬送される際の送り方向と平行な方向に沿って実行される、相対送りである。一部の印刷モードにおいては、副走査送り量は、一定値であり、他の印刷モードにおいては、副走査送り量は、実行の順番が定められた複数の量の組み合わせである。主走査と副走査により、印刷ヘッドのノズルが印刷媒体に対して様々な位置に配され、印刷媒体の様々な位置にインク滴が吐出される。
【００４５】
プリンターの動作設定パラメーターの情報１０５０には、プリンターにおける媒体の搬送速度に加えて、プリンターについて想定されている使用環境の温度の上限値、そのプリンターに供給される印刷媒体の滑りやすさ、プリンターにおいて印刷時に印刷媒体を押圧する力の大きさ、プリンターにおいて印刷時に印刷媒体にかける張力の大きさが、含まれる。
【００４６】
作成者ＩＤ１１１０は、印刷設定情報Ｉｐｓの作成者を表す。印刷設定情報Ｉｐｓの作成者は、印刷設定情報Ｉｐｓの作成に際して使用されたプロファイル作成ツールＰＭＴのライセンシーである（図１の中段右部参照）。作成者ＩＤ１１１０は、プロファイル作成ツールＰＭＴが印刷設定情報Ｉｐｓを生成する際に、プロファイル作成ツールＰＭＴによって自動的に印刷設定情報Ｉｐｓに格納される。作成者ＩＤは、プロファイル作成ツールＰＭＴがメディアベンダーＭＶに提供された際に、あらかじめプロファイル作成ツールＰＭＴ内に格納されている。
【００４７】
作成者ＩＤは、プロファイル作成ツールＰＭＴの提供を受けるメディアベンダーＭＶごとに異なっている。すなわち、作成者ＩＤは、プロファイル作成ツールＰＭＴの使用を許諾されたメディアベンダーＭＶ、およびメディアベンダーＭＶの代理店と、１対１に対応づけることができる。メディアベンダーＭＶの従業員である作業者個人ごとに、作成者ＩＤを割り当てることもできる。管理サーバーＳｖから印刷設定情報Ｉｐｓをダウンロードした印刷業者ＰＣａ，ＰＣｂ，ＰＣａｓは、印刷設定情報Ｉｐｓ内の作成者ＩＤ１１１０に基づいて、印刷設定情報Ｉｐｓの作成者を知ることができる（図１の下段左部参照）。
【００４８】
品質レベル情報１１３０は、印刷結果についての色再現精度、色再現範囲、階調特性、粒状性、およびインク滲みの評価値を含む。品質レベル情報１１３０を作成するために、メディアベンダーＭＶは、以下の処理を行う。
【００４９】
メディアベンダーＭＶは、プリンター２００ｖを使用して、印刷媒体ＭＤに、カラーチャートの印刷を行う。カラーチャートの印刷データは、プリンター２００を制御するアプリケーションソフトウェアにあらかじめ格納されている。
【００５０】
メディアベンダーＭＶは、カラーチャートの印刷結果をプリンター２００ｖのセンサーで測定して、センサーの出力に基づいて、印刷結果についての評価値を決定する。具体的には、分光測色器の出力に基づいて、色再現精度、色再現範囲、階調特性が評価される。デジタルスチルカメラの出力に基づいて、粒状性とインク滲みが評価される。センサーの出力に基づいて決定された各項目の評価値が、品質レベル情報１１３０として、印刷設定情報Ｉｐｓに格納される。
【００５１】
「色再現精度」は、ターゲットとなる色彩値のデータによって印刷が指示された場合に、実際に印刷物上で再現された色の測色値と、その色彩値との色の差に基づいて評価される。
【００５２】
「階調特性」は、グラデーションの再現性である。たとえば、濃度が一定量ずつ減少するように色データが作成されている一連のパッチを含むカラーチャートのデータにしたがって印刷が行われた場合、その印刷に使用されたプロファイルの「階調特性」は、以下のように評価される。印刷結果としての一連のパッチにおいて、色データにおいては、明度が減少しているべきパッチの組み合わせであるにもかかわらず、印刷結果において明度が減少していないパッチの組み合わせが１以上存在する場合には、そのようなパッチの組み合わせの数に応じて、プロファイルの「階調特性」の評価は低下する。
【００５３】
すなわち、色データにおいて明度が減少している複数の色について、印刷結果において明度が単調減少していない場合には、プロファイルの「階調特性」の評価は低下する。色データにおいて明度が増加している複数の色について、印刷結果において明度が単調増加していない場合には、プロファイルの「階調特性」の評価は低下する。この評価において、印刷結果における明度の単調減少または単調増加の曲線は、上に凸のカーブであってもよいし、下に凸のカーブであってもよいし、線形であってもよい。なお、「階調特性」は、ある色から他の色、たとえば、黄色から赤色への、推移のグラデーションについても、同様に評価されることができる。
【００５４】
「階調特性」にはリニア性が含まれる。「リニア性」とは、入力となるインク量のデータの変化に対して、印刷媒体上に表された色彩の変化が、線形に近いことの指標である。
【００５５】
印刷設定情報Ｉｐｓは、管理サーバーＳｖにインストールされている印刷設定情報Ｉｐｓを管理するためのアプリケーションソフトウェアによらなければ、改変することができないように構成されている。たとえば、情報１１１０、１１２０，１１３０を含む印刷設定情報Ｉｐｓが格納する情報の少なくとも一部は、専用のアプリケーションソフトウェアによらなければ、他の情報と区別することができない状態で、印刷設定情報Ｉｐｓに格納されている。その結果、第三者による印刷設定情報Ｉｐｓ内の情報の改ざんが防止される。
【００５６】
印刷設定情報Ｉｐｓは、暗号化されている。このため、印刷設定情報Ｉｐｓは、管理サーバーＳｖにインストールされている印刷設定情報Ｉｐｓを管理するためのアプリケーションソフトウェア、または印刷業者ＰＣａ，ＰＣｂ，ＰＣａｓに提供される印刷設定情報Ｉｐｓを利用してプリンター２００で印刷を行うためのアプリケーションソフトウェアによらなければ、利用することができない。
【００５７】
メディアベンダーＭＶは、管理サーバーＳｖに印刷設定情報Ｉｐｓをアップロードすると、または印刷設定情報Ｉｐｓをアップロードするのに先立って、印刷設定情報Ｉｐｓの生成の際にプリンター２００ｖで使用した印刷媒体ＭＤのサンプルを、管理サーバーＳｖに送付する。
【００５８】
なお、以上で説明したメディアベンダーＭＶによって行われる処理は、プリンタープロバイダーＰＰによっても行われる。
【００５９】
（２）印刷設定情報の確認および記憶：
図３は、管理サーバーＳｖにおける印刷設定情報Ｉｐｓの確認および記憶の処理を示すフローチャートである。管理サーバーＳｖは、メディアベンダーＭＶから印刷設定情報Ｉｐｓを受信すると、印刷設定情報Ｉｐｓの内容を確認する処理を行う（図１の上段中央部参照）。
【００６０】
図３のステップＳ１１０において、管理サーバーＳｖは、メディアベンダーＭＶから受信した印刷設定情報Ｉｐｓが、あらかじめ定められた印刷設定情報Ｉｐｓの作成方法に関する条件を満たすか否かを判断する。
【００６１】
印刷設定情報Ｉｐｓが作成方法に関する条件を満たさない場合には、たとえば、（ｉ）印刷設定情報ＩｐｓがメディアベンダーＭＶにライセンスされた正規のプロファイル作成ツールＰＭＴで作成されていない場合、（ｉｉ）印刷設定情報Ｉｐｓが正規のプロファイル作成ツールＰＭＴで作成されているが、あらかじめ定められた手順を経て作成されていない場合、が含まれる。ステップＳ１１０の判定は、印刷設定情報Ｉｐｓに含まれている作成方法の情報１１２０などの、プロファイル１０６０のタグに格納されている履歴の情報に基づいて行うことができる（図２参照）。
【００６２】
メディアベンダーＭＶから受信した印刷設定情報Ｉｐｓが、印刷設定情報Ｉｐｓの生成方法に関する条件を満たす場合には、処理はステップＳ１２０に進む。印刷設定情報Ｉｐｓが作成方法に関する条件を満たさない場合には、処理はステップＳ１７０に進む。
【００６３】
ステップＳ１７０において、管理サーバーＳｖは、メディアベンダーＭＶから受信した印刷設定情報Ｉｐｓを記憶せず、印刷設定情報Ｉｐｓが管理サーバーＳｖに記憶されなかった旨の通知を、印刷設定情報Ｉｐｓを送信したメディアベンダーＭＶに対して行う。その際、印刷設定情報Ｉｐｓが管理サーバーＳｖに記憶されなかった理由も、メディアベンダーＭＶに通知される。
【００６４】
ステップＳ１２０において、管理サーバーＳｖは、メディアベンダーＭＶから受信した印刷設定情報Ｉｐｓが、あらかじめ定められた印刷結果に関する条件を満たすか否かを判断する。なお、ステップＳ１１０において判定される印刷設定情報Ｉｐｓの生成方法に関する条件と、ステップＳ１２０において判定される印刷結果に関する条件とを、まとめて「登録条件」と呼ぶ。
【００６５】
ステップＳ１２０において、管理サーバーＳｖは、メディアベンダーＭＶから送信された印刷設定情報Ｉｐｓにしたがって、プリンター２００ｓでカラーチャートの印刷を行う。カラーチャートの印刷データは、プリンター２００を制御するアプリケーションソフトウェアにあらかじめ格納されている。
【００６６】
印刷においては、管理サーバーＳｖが保持している様々な機種のプリンターのうち、印刷設定情報Ｉｐｓに格納されているプリンターの機種の情報１０１０に一致する機種のプリンターが使用される。メディアベンダーＭＶから受領した様々な印刷媒体ＭＤのサンプルのうち、印刷設定情報Ｉｐｓ内の印刷媒体の種類の情報１０２０に対応する印刷媒体ＭＤが使用される。印刷設定情報Ｉｐｓ内のインクの種類の情報１０３０に一致する種類のインクが使用される。印刷設定情報Ｉｐｓ内の印刷モードの情報１０４０に一致する印刷モードが使用される。印刷設定情報Ｉｐｓ内の動作設定パラメーターの情報１０５０に基づいて、プリンターの動作設定が行われる。印刷設定情報Ｉｐｓ内のプロファイルの情報１０６０にしたがって、色変換が行われる。
【００６７】
管理サーバーＳｖは、カラーチャートの印刷結果をプリンター２００ｓのセンサーで測定して、センサーの出力に基づいて、印刷結果の品質に関する評価値を決定する。評価値の決定方法は、メディアベンダーＭＶにおいて、印刷結果の評価値を決定する際の方法と同じである。
【００６８】
各評価値のすべてが、印刷設定情報Ｉｐｓに格納されている品質レベル情報１１３０の内容と一致しており、それぞれあらかじめ定められた基準範囲内にある場合は、管理サーバーＳｖは、メディアベンダーＭＶから受信した印刷設定情報Ｉｐｓが、あらかじめ定められた印刷結果に関する条件を満たす、と判断する。そうではない場合は、管理サーバーＳｖは、メディアベンダーＭＶから受信した印刷設定情報Ｉｐｓが、あらかじめ定められた印刷結果に関する条件を満たさない、と判断する。
【００６９】
なお、上記評価値が、印刷設定情報Ｉｐｓに格納されている品質レベル情報１１３０の内容と異なっていても、そのずれ量が、それぞれあらかじめ定められた許容範囲内にある場合は、その評価値は、印刷設定情報Ｉｐｓに格納されている品質レベル情報１１３０の内容と一致しているものとして扱われる。
【００７０】
メディアベンダーＭＶから受信した印刷設定情報Ｉｐｓが、印刷結果に関する条件を満たす場合には、処理は、ステップＳ１５０に進む。メディアベンダーＭＶから受信した印刷設定情報Ｉｐｓが、あらかじめ定められた印刷結果に関する条件を満たさない場合には、処理は、ステップＳ１３０に進む。
【００７１】
ステップＳ１３０において、管理サーバーＳｖは、印刷設定情報Ｉｐｓを修正して、印刷結果に関する条件を満たす印刷設定情報Ｉｐｓを生成できるか否かを判断する。たとえば、ステップＳ１２０で決定した印刷結果の品質に関する評価値が、メディアベンダーＭＶから受信した印刷設定情報Ｉｐｓに格納されている品質レベル情報１１３０の内容と一致していないが、それぞれあらかじめ定められた基準範囲内にある場合は、管理サーバーＳｖは、印刷結果に関する条件を満たす印刷設定情報Ｉｐｓを生成できると判断する。ステップＳ１２０で決定した印刷結果の品質に関する評価値のいずれかが、あらかじめ定められた基準範囲内にない場合は、管理サーバーＳｖは、印刷結果に関する条件を満たす印刷設定情報Ｉｐｓを生成できないと判断する。
【００７２】
印刷設定情報Ｉｐｓを修正して、印刷結果に関する条件を満たす印刷設定情報Ｉｐｓを生成できない場合には、処理は、ステップＳ１７０に進む。印刷設定情報Ｉｐｓを修正して、印刷結果に関する条件を満たす印刷設定情報Ｉｐｓを生成できる場合には、処理は、ステップＳ１４０に進む。
【００７３】
ステップＳ１４０において、管理サーバーＳｖは、印刷設定情報Ｉｐｓを修正して、印刷結果に関する条件を満たす印刷設定情報Ｉｐｓを生成する。たとえば、ステップＳ１２０で決定した印刷結果の品質に関する評価値が、メディアベンダーＭＶから受信した印刷設定情報Ｉｐｓに格納されている品質レベル情報１１３０の内容と一致していないが、それぞれあらかじめ定められた基準範囲内にある場合は、管理サーバーＳｖは、以下の処理を行う。すなわち、管理サーバーＳｖは、メディアベンダーＭＶから受信した印刷設定情報Ｉｐｓのうち、品質レベル情報１１３０の各評価値を、ステップＳ１２０で決定した印刷結果の品質に関する評価値に書き替えて、新たな印刷設定情報Ｉｐｓを生成する（図２参照）。
【００７４】
ステップＳ１２０，Ｓ１３０，Ｓ１４０の処理は、管理サーバーＳｖが行ってもよいし、管理サーバーＳｖから印刷設定情報Ｉｐｓを転送された他の機関または組織が行ってもよい。ステップＳ１２０，Ｓ１３０，Ｓ１４０の処理を行う他の機関または組織は、プリンタープロバイダーＰＰ（図１の中段右部参照）であってもよいし、プリンタープロバイダーＰＰ以外の機関または組織であってもよい。ただし、ステップＳ１２０，Ｓ１３０，Ｓ１４０の処理を行うプリンタープロバイダーＰＰ以外の機関または組織は、ステップＳ１２０，Ｓ１３０，Ｓ１４０の処理を行う資格を、プリンタープロバイダーＰＰによって認証された機関または組織である。ステップＳ１２０，Ｓ１３０，Ｓ１４０の処理を管理サーバーＳｖ以外の機関または組織が行得場合には、その機関または組織は、メディアベンダーＭＶから、印刷設定情報Ｉｐｓの生成の際にプリンター２００ｖで使用した印刷媒体ＭＤのサンプルを、送付される。
【００７５】
ステップＳ１５０において、管理サーバーＳｖは、印刷設定情報ＩｐｓをＲＡＭ１１３ｓに記憶する。ステップＳ１４０の処理を経ずにステップＳ１５０の処理に至った場合には、管理サーバーＳｖは、メディアベンダーＭＶから受信した印刷設定情報ＩｐｓをＲＡＭ１１３ｓに記憶する。ステップＳ１４０の処理を経てステップＳ１５０の処理に至った場合には、管理サーバーＳｖは、ステップＳ１４０で生成された印刷設定情報ＩｐｓをＲＡＭ１１３ｓに記憶する。その後、処理は終了する。
【００７６】
このような処理を行うことにより、管理サーバーＳｖから印刷業者ＰＣａ，ＰＣｂ，ＰＣａｓに提供される印刷設定情報Ｉｐｓの品質を、制御することができる。
【００７７】
（３）印刷設定情報Ｉｐｓのダウンロードおよび印刷：
印刷業者ＰＣａは、印刷業者ＰＣａにおいて印刷に使用されるプリンター２００ａと印刷媒体ＭＤとの組み合わせに応じた印刷設定情報Ｉｐｓを、管理サーバーＳｖからダウンロードする（図１の中段左部参照）。印刷業者ＰＣａは、プリンター２００ａを制御するソフトウェアに、印刷設定情報Ｉｐｓに基づく設定を行い、印刷を行う。
【００７８】
より具体的には、印刷業者ＰＣａにおいて印刷に使用される（ｉ）プリンター２００ａの機種、（ｉｉ）印刷媒体ＭＤの種類、および（ｉｉｉ）インクの種類に応じた印刷設定情報Ｉｐｓを、印刷業者ＰＣａは、管理サーバーＳｖからダウンロードする。一方、印刷業者ＰＣａにおいて、ダウンロードされた印刷設定情報Ｉｐｓが含む印刷媒体の種類の情報１０２０にしたがって、印刷に使用される印刷媒体が選択されてもよい。印刷設定情報Ｉｐｓが含むインクの種類の情報１０３０にしたがって、印刷に使用されるインクが選択されてもよい（図２参照）。
【００７９】
印刷業者ＰＣａにおいては、印刷設定情報Ｉｐｓが含む印刷モードの情報１０４０にしたがって、印刷の際に使用される印刷モードが選択される（図２参照）。印刷設定情報Ｉｐｓが含む動作設定パラメーターの情報１０５０にしたがって、印刷の際に使用される設定パラメーターが設定される。印刷設定情報Ｉｐｓが含むプロファイルの情報１０６０を使用して、印刷に使用される画像データの色変換が行われる。各処理は、プリンター２００ａを制御するためのプログラムがインストールされているコンピューター１００ａによって、実行される。
【００８０】
印刷設定情報Ｉｐｓに格納されている（ｉ）印刷設定情報Ｉｐｓの作成者の作成者ＩＤ１１１０、（ｉｉ）作成方法の情報１１２０、（ｉｉｉ）印刷結果の品質を表す品質レベル情報１１３０については（図２参照）、印刷業者ＰＣａが有するプリンター２００ａを制御するためのアプリケーションソフトウェアは、読み取り、表示装置１１５ａに表示することができる。このため、印刷業者ＰＣａは、色変換に先立って、それらの情報の内容を確認することができる。
【００８１】
印刷業者ＰＣａによって生成された印刷物ＰＭは、注文者ＯＰに納品される（図１の下段中央部参照）。注文者ＯＰは、印刷業者ＰＣａに印刷物ＰＭの対価Ｐｃｐ０を支払う。
【００８２】
印刷業者ＰＣｂおよび印刷業者ＰＣａｓも、同様の処理を行って、プリンター２００ｂ，２００ａｓで印刷を行うことができる。なお、印刷業者ＰＣａｓは、管理サーバーＳｖからの印刷設定情報Ｉｐｓのダウンロードに代えて、印刷業者ＰＣａから印刷設定情報Ｉｐｓを受け取ってもよい（図１の下段左部参照）。
【００８３】
印刷業者ＰＣａ，ＰＣｂ，ＰＣａｓは、プリンター２００ａ，２００ｂ，２００ａｓを制御するソフトウェアに、印刷設定情報Ｉｐｓに基づく設定を行い、印刷を行うことにより、以下のような利益を得ることができる。すなわち、印刷業者ＰＣａ，ＰＣｂ，ＰＣａｓは、メディアベンダーＭＶやプリンタープロバイダーＰＰが（ｉ）プリンター２００ａ，２００ｂ，２００ａｓの機種、（ｉｉ）印刷媒体ＭＤの種類、（ｉｉｉ）インクの種類、（ｉｖ）印刷モード、および（ｖ）設定パラメーターを決定して、印刷設定情報Ｉｐｓを作成した際に達成した高い品質を有する印刷物を、生成することができる。また、印刷業者ＰＣａ，ＰＣｂ，ＰＣａｓは、自ら試行錯誤してプリンター２００ａ，２００ｂ，２００ａｓの設定を行う場合に比べて、短時間でプリンター２００ａ，２００ｂ，２００ａｓの設定を行うことができる。
【００８４】
管理サーバーＳｖは、複数の印刷設定情報Ｉｐｓを記憶している（図１の上段中央部参照）。具体的には、管理サーバーＳｖは、印刷設定情報Ｉｐｓごとに、印刷業者ＰＣａ，ＰＣｂによってダウンロードされた回数を測定し、コンピューター１００ｓのＲＡＭ１１３ｓに記憶している。管理サーバーＳｖは、印刷業者ＰＣａ，ＰＣｂから要求に従って印刷設定情報Ｉｐｓを印刷業者ＰＣａ，ＰＣｂに送信するたびに、印刷設定情報Ｉｐｓごとに記憶しているダウンロード回数を、１回、増やす。印刷設定情報Ｉｐｓごと測定されているダウンロード回数の情報を、集合的にＮｉとして図１に示す。ダウンロード回数Ｎｉは、一定期間ごと、たとえば１ヶ月ごとにクリアされ、初めから再びカウントされる。
【００８５】
管理サーバーＳｖは、複数の印刷設定情報Ｉｐｓのうち、一部の印刷設定情報Ｉｐｓについては、あらかじめ定められた条件を満たす印刷業者のみにダウンロードを許可することができる。
【００８６】
たとえば、印刷システムＰＳにおいて、印刷業者は、料金の異なる異なるレベルの契約をシステム管理者と結ぶことができ、一部の印刷設定情報Ｉｐｓについては、あるレベル以上の契約を結んでいる印刷業者についてのみ、管理サーバーＳｖはダウンロードを認めてもよい。そして、管理サーバーＳｖは他の一部の印刷設定情報Ｉｐｓについては、有償の契約を結んでいない印刷業者に対しても、ダウンロードを認めてもよい。
【００８７】
ある印刷設定情報Ｉｐｓについては、所有するプリンター２００がネットワークに接続されている印刷業者についてのみ、管理サーバーＳｖはダウンロードを認めてもよい。
【００８８】
各印刷業者におけるプリンター２００による印刷の後の工程の種類に応じて、管理サーバーＳｖはダウンロードを認めてもよい。たとえば、印刷媒体に印刷を行った後、印刷面に透明または半透明な樹脂シートを貼付し、ラミネート加工を行う印刷業者については、メディアベンダーＭＶは、そのような工程を実施しない印刷業者向けの印刷設定情報Ｉｐｓとは異なる印刷設定情報Ｉｐｓを用意することができる。そして、管理サーバーＳｖは、そのようなラミネート加工を前提とした印刷設定情報Ｉｐｓについては、印刷後にラミネート加工を行うことを管理サーバーＳｖにあらかじめ登録している印刷業者についてのみ、ダウンロードを認めてもよい。
【００８９】
一方、ラミネート加工用の記録媒体がＲＦＩＤ（Radio Frequency IDentifier）やＱＲコード（登録商標）を備えており、ＲＦＩＤやＱＲコードから読み取った情報を、印刷業者が管理サーバーＳｖに送信することにより、ラミネート加工用の印刷設定情報Ｉｐｓをダウンロードできるようになってもよい。ラミネート加工は、耐光性および耐擦性の向上を目的として行われる。
【００９０】
このような処理を行うことにより、印刷業者に対して、その印刷業者に適した印刷設定情報のみをダウンロードできるように、印刷システムを運用することができる。
【００９１】
管理サーバーＳｖに記憶されている複数の印刷設定情報Ｉｐｓは、ダウンロードの対価が互いに異なる複数種類の印刷設定情報Ｉｐｓを含む。また、管理サーバーＳｖに記憶されている複数の印刷設定情報Ｉｐｓは、印刷結果の品質（図２の１１３０参照）が互いに異なる複数種類の印刷設定情報Ｉｐｓを含む。印刷業者ＰＣａ，ＰＣｂは、（ｉ）個別の印刷設定情報Ｉｐｓのダウンロードの対価、（ｉｉ）印刷設定情報Ｉｐｓの印刷結果の品質（図２の１１３０参照）、（ｉｉｉ）その印刷業者が管理サーバーＳｖからダウンロードした印刷設定情報Ｉｐｓの数、および（ｉｖ）ダウンロードした各印刷設定情報Ｉｐｓの使用期間に応じた対価Ｐｃｐ１を、プリンタープロバイダーＰＰに支払う（図１の中央部参照）。
【００９２】
個別の印刷設定情報Ｉｐｓのダウンロードの対価は、印刷設定情報Ｉｐｓごとに異ならせることができる。また、個別の印刷設定情報Ｉｐｓのダウンロードについて、対価が求められない印刷設定情報Ｉｐｓが用意されてもよい。
【００９３】
印刷設定情報Ｉｐｓの印刷結果の品質に応じた対価の支払いの態様としては、品質が高いほど、高い料金が支払われる形態を採用することができる。ダウンロードできる印刷設定情報Ｉｐｓの印刷結果の品質の区分を設け、あらかじめ支払われた対価に応じて、ダウンロードできる印刷設定情報Ｉｐｓの印刷結果の品質の区分が定められている態様とすることもできる。
【００９４】
ダウンロードした印刷設定情報Ｉｐｓの数に応じた対価の支払いの態様としては、ダウンロード数が多いほど、高い料金が支払われる形態を採用することができる。ダウンロードできる印刷設定情報Ｉｐｓの数の区分を設け、あらかじめ支払われた対価に応じて、ダウンロードできる印刷設定情報Ｉｐｓの数の上限が定められている態様とすることもできる。
【００９５】
使用期間に応じた対価の設定としては、ダウンロード後、一定の試用期間については、印刷設定情報Ｉｐｓの無償の使用が認められ、一定の試用期間が経過した後は、使用の対価が求められるような設定とすることができる。また、印刷設定情報Ｉｐｓを一定期間、たとえば１ヶ月間使用する度に、その対価が求められるような設定とすることができる。
【００９６】
このような処理を行うことにより、プリンタープロバイダーＰＰは、印刷業者ＰＣａ，ＰＣｂが印刷システムＰＳを活用する内容に応じた対価Ｐｃｐ１を得ることができる。印刷業者ＰＣａ，ＰＣｂは、プリンタープロバイダーＰＰに支払う対価Ｐｃｐ１の増加に応じて、より印刷システムＰＳを活用して印刷を行うことができる。このため、（ｉ）ダウンロードの対価、（ｉｉ）印刷結果の品質、（ｉｉｉ）ダウンロードした印刷設定情報Ｉｐｓの数、（ｉｖ）印刷設定情報Ｉｐｓの使用期間に応じた対価Ｐｃｐ１の変動は、印刷業者ＰＣａ，ＰＣｂにとって大きな負担と感じられにくい。
【００９７】
印刷業者ＰＣａは、ダウンロードした印刷設定情報Ｉｐｓを使った印刷の量に応じた対価Ｐｃｐ２を、プリンタープロバイダーＰＰに支払う（図１の中央部参照）。印刷の量は、印刷設定情報Ｉｐｓに基づく設定が行われたクライアントプリンター２００ａによる印刷において使用された印刷媒体ＭＤの量Ｖｍで評価することができる。印刷設定情報Ｉｐｓに基づく設定が行われたクライアントプリンター２００ａによる印刷において使用された印刷媒体ＭＤの量Ｖｍを、「媒体消費量Ｖｍ」と表記する。対価Ｐｃｐ２の計算方法については、以下で説明する。
【００９８】
このような処理を行うことにより、プリンタープロバイダーＰＰは、印刷業者ＰＣａ，ＰＣｂ，ＰＣａｓが印刷システムＰＳを活用した程度に応じた対価Ｐｃｐ２を得ることができる。印刷業者ＰＣａ，ＰＣｂは、プリンタープロバイダーＰＰに支払う対価Ｐｃｐ２の増加に応じて、より印刷システムＰＳを活用して印刷を行うことができる。このため、印刷の量の増加に応じた対価Ｐｃｐ２の増加は、印刷業者ＰＣａ，ＰＣｂにとって大きな負担と感じられにくい。
【００９９】
印刷業者ＰＣａは、印刷設定情報Ｉｐｓに基づく設定が行われたクライアントプリンター２００ａによる印刷において使用されたインクの量Ｖｉを、測定する。以下、印刷設定情報Ｉｐｓに基づく設定が行われたクライアントプリンター２００ａによる印刷において使用されたインクの量Ｖｉを、「インク消費量Ｖｉ」と表記する。インク消費量Ｖｉは、プリンター２００ａ，２００ｂにおいて行われたインク滴の吐出の回数で計数することができる。プリンター２００を制御するソフトウェアは、インク滴の吐出の回数を数えることができる。
【０１００】
インク消費量Ｖｉは、媒体消費量Ｖｍのインクタンクにおいて減少したインクの量で計数することもできる。ただし、インクは、プリンター２００のノズルのクリーニングにおいても消費されるため、インクの減少量よりもインク滴の吐出の回数の方が、より印刷業者ＰＣａ，ＰＣｂが得た印刷物の量を正確に反映する。
【０１０１】
インク消費量Ｖｉは、その印刷において使用された印刷設定情報Ｉｐｓと対応づけられて、コンピューター１００ａのＲＡＭ１１３ａに格納される。印刷設定情報Ｉｐｓと対応づけられたインク消費量Ｖｉは、印刷業者ＰＣａから管理サーバーＳｖに送信される（図１の中段左部参照）。
【０１０２】
管理サーバーＳｖは、インク消費量Ｖｉを印刷業者ＰＣａ，ＰＣｂ，ＰＣａｓごとに集計して、インク集計量Ｖｉａとして、コンピューター１００ｓのＲＡＭ１１３ｓに格納する。インク集計量Ｖｉａは、印刷業者ＰＣａ，ＰＣｂからプリンタープロバイダーＰＰに支払われる対価Ｐｃｐ２の計算に使用される。
【０１０３】
管理サーバーＳｖは、インク消費量Ｖｉを印刷設定情報Ｉｐｓごとに集計して、インク集計量Ｖｉｂとして、コンピューター１００ｓのＲＡＭ１１３ｓに格納する。インク集計量Ｖｉａ，Ｖｉｂは、一定期間ごと、たとえば１ヶ月ごとにクリアされ、初めから再び集計される。
【０１０４】
印刷業者ＰＣａは、使用した印刷媒体の量Ｖｍａに応じた対価Ｐｃｐ３を、メディアベンダーＭＶに支払う（図１の中央部参照）。具体的な対価Ｐｃｐ３の支払いの処理は、管理サーバーＳｖを介して行われる。このような処理を行うことにより、メディアベンダーＭＶは、印刷業者ＰＣａが使用した印刷媒体ＭＤの量に応じた対価Ｐｃｐ３を得ることができる。対価Ｐｃｐ３の計算方法については、以下で説明する。
【０１０５】
印刷業者ＰＣａは、印刷設定情報Ｉｐｓに基づく設定が行われたクライアントプリンター２００ａによる印刷において使用された印刷媒体ＭＤの量Ｖｍを、測定する。印刷媒体ＭＤがロールされた長尺の媒体である場合は、印刷媒体ＭＤの量は、使用された印刷媒体ＭＤの長さで評価することができる。印刷媒体ＭＤがシート状の媒体である場合は、印刷媒体ＭＤの量は、使用された印刷媒体ＭＤの枚数で評価することができる。
【０１０６】
使用された印刷媒体ＭＤの量Ｖｍは、その印刷において使用された印刷設定情報Ｉｐｓと対応づけられて、コンピューター１００ａのＲＡＭ１１３ａに格納される。印刷設定情報Ｉｐｓと対応づけられた媒体消費量Ｖｍは、印刷業者ＰＣａから、管理サーバーＳｖに送信される（図１の中段左部参照）。
【０１０７】
管理サーバーＳｖは、媒体消費量Ｖｍを印刷業者ＰＣａ，ＰＣｂごとに集計して、媒体集計量Ｖｍａとして、コンピューター１００ｓのＲＡＭ１１３ｓに格納する。媒体集計量Ｖｍａは、印刷業者ＰＣａ，ＰＣｂからメディアベンダーＭＶに支払われる対価Ｐｃｐ３の計算に使用される。媒体集計量Ｖｍａは、一定期間ごと、たとえば１ヶ月ごとにクリアされ、初めから再び集計される。
【０１０８】
管理サーバーＳｖは、媒体消費量Ｖｍを印刷設定情報Ｉｐｓごとに集計して、媒体集計量Ｖｍｂとして、コンピューター１００ｓのＲＡＭ１１３ｓに格納する。媒体集計量Ｖｍｂは、プリンタープロバイダーＰＰからメディアベンダーＭＶに支払われる報酬Ｐｃｒの計算に使用される。報酬Ｐｃｒは、価値の高い印刷設定情報Ｉｐｓを生成したことに対して支払われる報酬である。なお、本明細書において報酬Ｐｃｒを、他の対価とまとめて、「対価Ｐｃｒ」と呼ぶこともある。
【０１０９】
プリンタープロバイダーＰＰは、一定期間ごと、たとえば１ヶ月ごとに、管理サーバーＳｖから、媒体集計量Ｖｍｂを取得する。媒体集計量Ｖｍｂは、印刷業者ＰＣａ，ＰＣｂ，ＰＣａｓにおいて各印刷設定情報Ｉｐｓに基づく設定が行われたクライアントプリンター２００ａ，２００ｂによる印刷の実績を表す。
【０１１０】
プリンタープロバイダーＰＰは、印刷設定情報Ｉｐｓごとのインク集計量Ｖｉｂに基づいて、報酬Ｐｃｒを決定する。プリンタープロバイダーＰＰは、各印刷設定情報Ｉｐｓを作成したメディアベンダーＭＶに、報酬Ｐｃｒを支払う（図１の中段右部参照）。
【０１１１】
印刷業者ＰＣｂおよび印刷業者ＰＣａｓについても、同様の処理が行われて、対価Ｐｃｐ１〜Ｐｃｐ３，Ｐｃｒの支払いが行われる。
【０１１２】
このような処理を行うことにより、印刷業者ＰＣａ，ＰＣｂ，ＰＣａｓに頻繁に利用され、印刷業者ＰＣａ，ＰＣｂにとって使用価値のある印刷設定情報Ｉｐｓを作成するインセンティブを、メディアベンダーＭＶに与えることができる。その結果、印刷業者ＰＣａ，ＰＣｂにとって使用価値のある、高品質な印刷を実現可能な印刷設定情報Ｉｐｓが、メディアベンダーＭＶによって、生成される。その結果、高品質な印刷設定情報Ｉｐｓを使用して、プリンタープロバイダーＰＰが製造するプリンター２００によって、高品質な印刷が行われることとなるため、プリンタープロバイダーＰＰが製造するプリンター２００およびプリンタープロバイダーＰＰのブランド価値が高められる。
【０１１３】
本実施形態においては、印刷において使用された印刷媒体ＭＤの量である媒体集計量Ｖｍｂに基づいて、印刷設定情報Ｉｐｓについて、メディアベンダーＭＶに支払われる報酬Ｐｃｒが、決定される。このため、管理サーバーＳｖから印刷設定情報Ｉｐｓがダウンロードされた回数Ｎｉに基づいて報酬Ｐｃｒが決定される態様に比べて、報酬Ｐｃｒが印刷業者ＰＣａ，ＰＣｂ，ＰＣａｓにおける実際の利用実績を反映して決定されやすい。
【０１１４】
たとえば、管理サーバーＳｖから印刷設定情報Ｉｐｓがダウンロードされたにもかかわらず、その印刷設定情報Ｉｐｓが実際の印刷に使用されない場合も考えられる。メディアベンダーＭＶと印刷業者ＰＣａまたは印刷業者ＰＣｂが共謀して、印刷に使用しない印刷設定情報Ｉｐｓのダウンロードを多数行った場合には、メディアベンダーＭＶは、プリンタープロバイダーＰＰから不当な報酬Ｐｃｒを得ることになる。しかし、本実施形態においては、媒体集計量Ｖｍｂに基づいて、メディアベンダーＭＶに支払われる報酬Ｐｃｒが、決定される。このため、そのような不正を防止することができる。
【０１１５】
（４）効果：
本実施形態によれば、プリンター２００ａ，２００ｂ，２００ａｓを制御するソフトウェアに印刷設定情報Ｉｐｓを設定するまでの処理に、カラーチャートサンプルの郵送を含む態様に比べて、以下のような利点がもたらされる。すなわち、印刷業者ＰＣａ，ＰＣｂ，ＰＣａｓは、印刷に使用するプリンター２００ａ，２００ｂ，２００ａｓと印刷に使用する印刷媒体ＭＤとの組み合わせに応じた印刷設定情報Ｉｐｓを、短時間で入手することができる。
【０１１６】
本実施形態によれば、メディアベンダーＭＶは、自身が製造する印刷媒体ＭＤに対して最適な印刷を行うことができる印刷設定情報Ｉｐｓを、印刷媒体ＭＤの購入者である印刷業者ＰＣａ，ＰＣｂに用意することができる。このため、メディアベンダーＭＶは、印刷媒体に対して最適な印刷を行うことができる印刷設定情報Ｉｐｓを提供していないメディアベンダーに比べて、自らが製造する印刷媒体ＭＤを使用することの利点を、強化することができる。
【０１１７】
本実施形態によれば、プリンタープロバイダーＰＰは、自身が提供するプリンター２００を使用して適切な印刷を行うことができる印刷設定情報Ｉｐｓを、プリンターの使用者である印刷業者ＰＣａ，ＰＣｂに用意することができる。このため、プリンタープロバイダーＰＰは、プリンターを使用して適切な印刷を行うことができる印刷設定情報Ｉｐｓを提供していないプロバイダーに比べて、自らが提供するプリンターを使用することの利点を、強化することができる。
【０１１８】
本実施形態によれば、プリンタープロバイダーＰＰのプリンター２００を使用して高品質の印刷物を短時間で得ることができる印刷業者ＰＣａ，ＰＣｂ，ＰＣａｓは、継続的にプリンター２００を使用し、さらに、プリンターの更新に際して、再びプリンタープロバイダーＰＰのプリンターを購入する可能性が高い。このため、本実施形態によれば、プリンタープロバイダーＰＰは、プリンターおよびインクの販売を通じて、継続的に利益を得ることができる。
【０１１９】
本実施形態におけるプリンタープロバイダーＰＰを「第１プロバイダー」とも呼ぶ。メディアベンダーＭＶを「第２プロバイダー」とも呼ぶ。印刷業者ＰＣａ，ＰＣｂ，ＰＣａｓを「クライアント」とも呼ぶ。管理サーバーＳｖを「記憶部」とも呼ぶ。プリンター２００ｖを「プロバイダープリンター」とも呼ぶ。プリンターの動作設定パラメーター１０５０を「設定パラメーター」とも呼ぶ。
【０１２０】
Ｂ．印刷システムにおける要素技術：
（１）カラーマネジメントシステムの仕組み：
図４は、図１の印刷システムＰＳで利用されるカラーマネジメントシステムの例を示す説明図である。このカラーマネジメントシステムは、製品用プリンター２００、目標プリンター３００、およびＲＩＰ（Raster Image Processor：ラスターイメージプロセエッサー）４００によって実現される。
【０１２１】
目標プリンター３００は、目標となる色である目標色ＣTを表現した印刷物を形成するターゲット装置である。印刷システムＰＳにおいては、印刷業者ＰＣａの営業所ＰＣａｏにおいて、印刷見本を生成するために使用されるプリンター３００である（図１の下段右部参照）。
【０１２２】
目標プリンター３００は、目標プリンター３００が使用する各インクの階調値の組み合わせを含む色データＣＭＹＫを受け取って、色データＣＭＹＫにしたがって、特定の色を再現する印刷を行う。目標プリンター３００が使用するインクは、目標プリンター３００用のシアン（Ｃ）、マゼンタ（Ｍ）、イエロー（Ｙ）、ブラック（Ｋ）のインクである。色データＣＭＹＫは、目標プリンター３００で使用されるＣＭＹＫの各インクの階調値を座標軸とするＣＭＹＫ色空間内の座標を表す。
【０１２３】
本実施形態においては、目標プリンター３００がある色データＣＭＹＫにしたがって、印刷を行った結果、形成された印刷物が表している色が、色合わせにおける目標色ＣTとなる（図４の上段中央部参照）。目標色ＣTは、１枚のシート上の異なる場所に再現された、複数の色の集合である。ただし、以下では、技術の理解を容易にするため、目標色ＣTのうちの１色に着目して説明を行う。目標色ＣTは、目標プリンター３００が形成した印刷物を測色器で測色することによって得られるＣＩＥ Ｌ*ａ*ｂ*色空間の座標値（Ｌ*ａ*ｂ*値）によって、特定できる。目標色ＣTのＣＩＥ  Ｌ*ａ*ｂ*色空間の座標値を、図４において、ＬａｂTとして示す（図４の上段右部参照）。本明細書では、Ｌ*ａ*ｂ*色空間をＬａｂ色空間とも表記する。Ｌ*ａ*ｂ*値をＬａｂ値とも表記する。
【０１２４】
目標色ＣTは、目標プリンター３００で使用されるＣＭＹＫの各インクの階調値を座標軸とするＣＭＹＫ色空間内の座標を表す色データＣＭＹＫによっても、特定しうる。ただし、色データＣＭＹＫは、目標プリンター３００で使用されるＣＭＹＫの各インクの色に依存する。目標色ＣTを印刷物上で表現した際の色データＣＭＹＫを、色データＣＭＹＫinと呼ぶ（図４の中段左部参照）。
【０１２５】
製品用プリンター２００は、目標プリンター３００が形成した印刷物の色を再現する際に使用されるインクジェットプリンターである。印刷システムＰＳにおいては、印刷業者ＰＣａ，ＰＣｂ，ＰＣａｓにおいて、印刷物を量産するために使用されるプリンター３００である（図１の下段左部参照）。
【０１２６】
製品用プリンター２００は、製品用プリンター２００が使用する各インクの階調値の組み合わせを含む色データｃｍｙｋを受け取って、色データｃｍｙｋにしたがって、特定の色を再現する印刷を行う。製品用プリンター２００が使用するインクは、製品用プリンター２００用のシアン（ｃ）、マゼンタ（ｍ）、イエロー（ｙ）、ブラック（ｋ）のインクである。色データｃｍｙｋは、製品用プリンター２００で使用されるｃｍｙｋの各インクの階調値を座標軸とするｃｍｙｋ色空間内の座標を表す。
【０１２７】
ＲＩＰ（Raster Image Processor）４００は、目標プリンター３００用の色データＣＭＹＫinを受け取って、色データＣＭＹＫinを製品用プリンター２００の色データｃｍｙｋに変換して、製品用プリンター２００に供給することができる（図４の中段左部参照）。目標プリンター３００用の色データＣＭＹＫinが変換されて生成された製品用プリンター２００用の色データｃｍｙｋを、色データｃｍｙｋpと呼ぶ（図４の中段右部参照）。
【０１２８】
ＲＩＰ４００は、Pantone（登録商標）カラーライブラリーにおける色名を受け取って、その色名に基づいて、製品用プリンター２００の色データｃｍｙｋを生成して、製品用プリンター２００に供給することができる（図４の下段左部参照）。すなわち、ＲＩＰ４００は、目標色ＣTを表す色名を受け取って、その色名に基づいて、製品用プリンター２００の色データｃｍｙｋpを生成して、製品用プリンター２００に供給することができる。
【０１２９】
目標色ＣTを表す色データＣＭＹＫinまたは目標色ＣTを表す色名の情報を含み、ＲＩＰ４００に入力されるデータを、印刷原稿データＤ０と呼ぶ（図４の中段左部参照）。
【０１３０】
ＲＩＰ４００は、入力プロファイル６１０と、出力プロファイル６２０と、カラーライブラリー６４０と、を有する。カラーライブラリー６４０は、Pantone（登録商標）カラーライブラリーである。
【０１３１】
入力プロファイル６１０は、目標プリンター３００で使用されるインクの色特性を記述したファイルである。具体的には、入力プロファイル６１０は、目標プリンター３００のインク色ＣＭＹＫの色空間における座標と、ＰＣＳ（Profile Connection Space：プロファイル接続空間）としてのＬａｂ色空間における座標と、の対応関係を保持している。
【０１３２】
出力プロファイル６２０は、製品用プリンター２００で使用されるインクの色特性を記述したファイルである。具体的には、出力プロファイル６２０は、ＰＣＳ（プロファイル接続空間）としてのＬａｂ色空間における座標と、製品用プリンター２００のインク色ｃｍｙｋの色空間における座標と、の対応関係を保持している。入力プロファイル６１０および出力プロファイル６２０は、ＩＣＣプロファイルのデータフォーマットにしたがって作成されている。
【０１３３】
印刷原稿データＤ０において、目標色ＣTが色データＣＭＹＫinで特定されている場合、ＲＩＰ４００は、以下の処理を行う。ＲＩＰ４００は、入力プロファイル６１０を参照して、印刷原稿データＤ０の色データＣＭＹＫinを、ＰＣＳ（プロファイル接続空間）としてのＬａｂ色空間で特定された色のデータである色データＬａｂS1に変換する（図４の中段左部参照）。
【０１３４】
印刷原稿データＤ０において、目標色ＣTがPantone（登録商標）カラーライブラリーにおける色名で特定されている場合、ＲＩＰ４００は、以下の処理を行う。ＲＩＰ４００は、カラーライブラリー６４０を参照して、色名に基づいて、Ｌａｂ色空間で特定された色のデータである色データＬａｂsを生成する（図４の中段左部参照）。
【０１３５】
ＲＩＰ４００は、出力プロファイル６２０を参照して、色データＬａｂsを、色データｃｍｙｋpに変換する（図４の中段右部参照）。
【０１３６】
以上の処理により、製品用プリンター２００は、目標プリンター３００が印刷した目標色ＣTに近い色を、製品用プリンター２００用のシアン（ｃ）、マゼンタ（ｍ）、イエロー（ｙ）、ブラック（ｋ）のインクで、再現することができる。
【０１３７】
なお、図４の例では、ＲＩＰ４００は、入力プロファイル６１０および出力プロファイル６２０を有している。しかし、ＲＩＰ４００は、入力プロファイル６１０および出力プロファイル６２０に代えて、または入力プロファイル６１０および出力プロファイル６２０とともに、デバイスリンクプロファイル６３０を保持していてもよい。デバイスリンクプロファイル６３０は、目標プリンター３００のインク色ＣＭＹＫの色空間における座標と、製品用プリンター２００のインク色ｃｍｙｋの色空間における座標と、の対応関係を保持している。ＲＩＰ４００は、デバイスリンクプロファイル６３０を参照して、印刷原稿データＤ０の色データＣＭＹＫinを、色データｃｍｙｋpに変換することができる。
【０１３８】
ＲＩＰ４００において、入力プロファイル６１０および出力プロファイル６２０に代えて、デバイスリンクプロファイル６３０が参照される場合にも、製品用プリンター２００は、目標プリンター３００が印刷した目標色ＣTに近い色を、製品用プリンター２００用のシアン（ｃ）、マゼンタ（ｍ）、イエロー（ｙ）、ブラック（ｋ）のインクで、再現することができる。
【０１３９】
なお、出力プロファイル６２０およびデバイスリンクプロファイル６３０は、標準的な印刷媒体を想定して、作成されてもよい。しかし、本実施形態の印刷システムＰＳにおいては、出力プロファイル６２０としてのプロファイル１０６０は、印刷媒体ＭＤごとに用意される（図１の上段右部および図２の１０６０参照）。
【０１４０】
（２）プロファイルの構造：
図５は、ＩＣＣプロファイル５００の構造を模式的に示す図である。ＩＣＣプロファイルは、カラーマネジメントにおいて、インターナショナル・カラー・コンソーシアム （International Color Consortium）の公表した標準に従い、色に関わる入出力機器や色空間を特徴付ける一連のデータである。図４に示す入力プロファイル６１０および出力プロファイル６２０は、ＩＣＣプロファイルのデータフォーマットにしたがって作成されている。ＩＣＣプロファイル５００は、プロファイルヘッダー５１０と、タグテーブル５２０と、エレメントデータ５３０とを含む。
【０１４１】
タグテーブル５２０は、１以上のタグ５２１を含む。各タグ５２１は、エレメントデータ５３０内のデータと関連づけられている。１以上のタグ５２１は、ＩＣＣプロファイル５００をカスタマイズするためのプライベートタグ５２３を含むことができる。エレメントデータ５３０は、ＰＣＳ（プロファイル接続空間）と機器従属色空間（device dependent colorspace）との間で色データを変換するための色変換テーブルを格納している。
【０１４２】
１以上のタグ５２１のうち、Ａ２Ｂｘタグ（ｘは０、１、または２）は、目標プリンター３００のＣＭＹＫ色空間や製品用プリンター２００のｃｍｙｋ色空間などの機器従属色空間の色データを、Ｌａｂ色空間の色データに変換するための色変換テーブルと関連づけられている。Ｂ２Ａｘタグ（ｘは０、１、または、２）は、Ｌａｂ色空間の色データを、機器従属色空間の色データに変換するための色変換テーブルを含んでいる。
【０１４３】
Ａ２Ｂ０タグおよびＢ２Ａ０タグは、知覚的（Perceptual）な色変換を行うための色変換テーブルと対応づけられている。知覚的な色変換は、色の階調の再現を重視した色変換である。知覚的な色変換は、主に、色域の広い写真画像の変換に用いられる。
【０１４４】
Ａ２Ｂ１タグおよびＢ２Ａ１タグは、相対的で測色的（Media-Relative Colorimetric）な色変換、または、絶対的で測色的（Absolute Colorimetric）な色変換を行うための色変換テーブルと対応づけられている。測色的な色変換は、測色値に忠実な変換である。測色的な色変換は、主に、正確な色の一致が求められるデジタルプルーフの色校正出力用の変換に用いられる。
【０１４５】
Ａ２Ｂ２タグ、およびＢ２Ａ２タグは、彩度重視（Saturation）の色変換を行うための色変換テーブルと対応づけられている。彩度重視の色変換は、色味の正確さよりも色の鮮やかさ重視する変換である。彩度重視の色変換は、主に、ビジネスグラッフィクスでのグラフ表示等の変換に用いられる。
【０１４６】
（３）プロファイルの調整：
ＲＩＰ４００において、入力プロファイル６１０および出力プロファイル６２０が参照される場合においても、デバイスリンクプロファイル６３０が参照される場合においても、プロファイルが含む誤差、色測定における誤差、プリンターの変動などにより、製品用プリンター２００において、目標色ＣTに十分近い色が再現できない場合がある。また、入力機器としての目標プリンター３００が再現可能な色空間のすべてについて、出力機器としての製品用プリンター２００で、適切な色を再現する必要はなく、目標プリンター３００が再現可能な色空間の一部についてのみ、製品用プリンター２００で適切な色を再現できればよい場合もある。そのような場合は、入力プロファイル６１０、出力プロファイル６２０、および／またはデバイスリンクプロファイル６３０を調整することにより、製品用プリンター２００の再現色をさらに目標色ＣTに近づけることができる。
【０１４７】
プロファイルを調整する際には、入力プロファイル６１０、出力プロファイル６２０、およびデバイスリンクプロファイル６３０のうち調整対象である１以上のプロファイルの指定と、調整対象のプロファイルの色空間において調整対象の色を表すデータと、調整によって調整対象の色をその色に近づけるべき目標色を表すデータとが、コンピューター上の入力インターフェイスを介して入力される。コンピューター上の入力インターフェイスについては、後に説明する。
【０１４８】
出力プロファイル６２０が調整される場合、以下の処理が行われる。色データｃｍｙｋpにしたがって製品用プリンター２００で生成された印刷物が測色されて、色データＬａｂpが生成される（図４の下段右部参照）。ＰＣＳとしてのＬａｂ色空間で特定された色データＬａｂs（図４の中央部参照）と、製品用プリンター２００の印刷物を測色して得られた色データＬａｂpと、の色差が計算される。この色差が少なくなるように、出力プロファイル６２０が調整される。
【０１４９】
入力プロファイル６１０が調整される場合、以下の処理が行われる。色データｃｍｙｋpにしたがって製品用プリンター２００で生成された印刷物が測色されて、色データＬａｂpが生成される（図４の下段右部参照）。目標プリンター３００の印刷物を測色して得られ、目標色ＣTを表す色データＬａｂT（図４の上段右部参照）と、製品用プリンター２００の印刷物を測色して得られた色データＬａｂpと、の色差が計算される。この色差が少なくなるように、入力プロファイル６１０が調整される。
【０１５０】
デバイスリンクプロファイル６３０が調整される場合は、入力プロファイル６１０が調整される場合と同様に、色データＬａｂT（図４の上段右部参照）と、製品用プリンター２００の印刷物を測色して得られた色データＬａｂpと、の色差が少なくなるように、デバイスリンクプロファイル６３０が調整される。
【０１５１】
たとえば、プロファイルが含む誤差が調整される場合には、コンピューター上の入力インターフェイスにおいて、入力プロファイル６１０、出力プロファイル６２０、またはデバイスリンクプロファイル６３０のいずれかが指定されて、コンピューター上で調整処理が行われ得る。
【０１５２】
製品用プリンター２００で生成された印刷物の色を目標色ＣTに近づける色校正が行われる場合には、入力プロファイル６１０および出力プロファイル６２０が指定されて、コンピューター上で調整処理が行われ得る。ＲＩＰ４００が、入力機器と出力機器の同じ組み合わせについて、入力プロファイル６１０および出力プロファイル６２０とともに、デバイスリンクプロファイル６３０を保持している場合には、色校正が行われる場合に、出力プロファイル６２０およびデバイスリンクプロファイル６３０が指定されて、コンピューター上で調整処理が行われてもよい。
【０１５３】
また、製品用プリンター２００で生成された印刷物の色を目標色ＣTに近づける色校正が行われる場合には、調整対象として、以下の座標値を、コンピューター上の入力インターフェイスにおいて指定されることができる：入力機器としての目標プリンター３００のインク色ＣＭＹＫの色空間における座標値、出力機器としての製品用プリンター２００のインク色ｃｍｙｋの色空間における座標値、および／またはＰＣＳとしてのＬａｂ色空間における座標値。プロファイル中の指定された座標値が、コンピューターを介して調整される。
【０１５４】
入力プロファイル６１０、出力プロファイル６２０、および／またはデバイスリンクプロファイル６３０のある出力値が異なる値に変更された場合、調整された出力値に対応する入力値の近傍にある入力値に対応する出力値も、同時に調整される。ある出力値が異なる値に変更されたことによる再現色の階調性が低下する事態を防止するためである。ある出力値が異なる値に変更された場合に、同時に出力値が調整される入力値の範囲である調整範囲が、コンピューター上の入力インターフェイスによって、指定されることができる。ある出力値が異なる値に変更された場合に同時に出力値が調整される入力値の範囲が指定されることにより、ある出力値が異なる値に変更された場合に影響を受ける範囲が制御される。
【０１５５】
入力プロファイル６１０、出力プロファイル６２０、および／またはデバイスリンクプロファイル６３０が調整される際に、目標色がＰＣＳ（プロファイル接続空間）で指定されていない場合には、ＰＣＳで表現された色データＬａｂに変換して、対象のファイルを調整することができる。
【０１５６】
入力プロファイル６１０、出力プロファイル６２０、および／またはデバイスリンクプロファイル６３０が調整される際に、コンピューター上の入力インターフェイスを介して、レンダリングインテントの指定を受け取り、指定されたレンダリングインテントにしたがってプロファイルの調整が行われてもよい。レンダリングインテントは、「知覚的」（Perceptual）、「相対的測色的」（Media-Relative Colorimetric）、「絶対的測色的」（Absolute Colorimetric）、および「彩度重視」（Saturation）を含む。
【０１５７】
（４）プロファイルを調整するためのユーザーインターフェイス画面：
図６は、プロファイルが調整される際にコンピューターの画面上に表示されるユーザーインターフェイス画面８００の例を示す図である。ユーザーインターフェイス画面８００（以下、「ＵＩ画面８００」と表記する）は、入力プロファイル選択欄８１１、出力プロファイル選択欄８１２、デバイスリンクプロファイル選択欄８１３、調整対象プロファイル指定欄８２０、調整対象色空間選択欄８３０、目標受付領域８４０、調整データ選択欄８４５、調整範囲指定欄８５０、インテント指定欄８６０、および調整実施ボタン８７０を有している。
【０１５８】
選択欄８１１〜８１３は、色変換に使用するプロファイルを指定するための欄である。入力プロファイル選択欄８１１は、入力プロファイル６１０が色変換に使用される場合に、ユーザーが、ＲＡＭ１１３ｖ（図１の上段右部参照）に記憶されている入力プロファイル６１０の中から色変換に使用される入力プロファイルを選択し、指定するための欄である。入力プロファイル６１０を色変換に使用しない場合、入力プロファイル選択欄８１１は空欄となる。
【０１５９】
出力プロファイル選択欄８１２は、出力プロファイル６２０が色変換に使用される場合に、ユーザーが、ＲＡＭ１１３ｖに記憶されている出力プロファイル６２０の中から色変換に使用される出力プロファイルを選択し、指定するための欄である。出力プロファイル６２０を色変換に使用しない場合、出力プロファイル選択欄８１２は空欄となる。
【０１６０】
デバイスリンクプロファイル選択欄８１３は、デバイスリンクプロファイル６３０が色変換に使用される場合に、ユーザーが、ＲＡＭ１１３ｖに記憶されているデバイスリンクプロファイル６３０の中から色変換に使用されるデバイスリンクプロファイルを選択し、指定するための欄である。デバイスリンクプロファイル６３０を色変換に使用しない場合、デバイスリンクプロファイル選択欄８１３は空欄である。
【０１６１】
選択欄８１１〜８１３を介して指定され、色変換に使用される１以上のプロファイルが、調整対象のプロファイルの候補となる。
【０１６２】
調整対象プロファイル指定欄８２０は、調整対象となるプロファイルを指定するための欄である。調整対象プロファイル指定欄８２０においては、選択欄８１１〜８１３において色変換に使用するプロファイルとして指定されたプロファイルの中から一つのプロファイルが選択される。図６の例においては、入力プロファイル選択欄８１１において入力プロファイルが指定され、出力プロファイル選択欄８１２において出力プロファイルが指定され、デバイスリンクプロファイル選択欄８１３は、デバイスリンクプロファイルが指定されていない。このため、調整対象プロファイル指定欄８２０においては、入力プロファイルまたは出力プロファイルのみが選択可能である。図６の例においては、入力プロファイルが調整対象のプロファイルとして選択されている。
【０１６３】
調整対象色空間選択欄８３０は、調整対象となるプロファイルが対応づけている二つの色空間のうち、調整対象とする色空間を指定するための欄である。図６の例においては、調整対象プロファイル指定欄８２０において、調整対象となるプロファイルとして、入力プロファイルが選択されている。このため、調整対象色空間選択欄８３０においては、目標プリンター３００のＣＭＹＫ色空間を指定するための「入力データ」と、ＰＣＳ（プロファイル接続空間）としてのＬａｂ色空間を指定するための「ＰＣＳ値」と、のいずれかを選択可能である。図６の例においては、Ｌａｂ色空間が調整対象とする色空間として選択されている。
【０１６４】
なお、調整対象プロファイル指定欄８２０において、調整対象として出力プロファイルが選択されている場合は、調整対象色空間選択欄８３０においては、ＰＣＳとしてのＬａｂ色空間を指定するための「ＰＣＳ値」と、製品用プリンター２００のｃｍｙｋ色空間を指定するための「出力データ」と、のいずれかを選択可能である。調整対象としてデバイスリンクプロファイルが選択されている場合は、調整対象色空間選択欄８３０においては、「入力データ」と、「ＰＣＳ値」と、「出力データ」と、のいずれかを選択可能である。
【０１６５】
調整データ選択欄８４５は、調整の内容を、色空間の座標における値すなわち目標値で指定するか、相対値すなわち現在の値からの改変量で指定するか、を指定するための欄である。調整データ選択欄８４５においては、「絶対値」または「相対値」が選択可能である。図６の例においては、相対値が選択されている。調整データ選択欄８４５における選択に応じて、目標受付領域８４０における改変内容の指定のための表示が変更される。
【０１６６】
目標受付領域８４０は、調整対象の色Ｐ０と、調整対象の色Ｐ０の改変内容Ｔ０とを指定するための欄である。目標受付領域８４０において、調整対象の色Ｐ０は、目標プリンター３００のインク色ＣＭＹＫの色空間における座標値、またはＰＣＳとしてのＬａｂ色空間における座標値で指定される。目標受付領域８４０において、調整対象の色Ｐ０の改変内容Ｔ０は、Ｌａｂ色空間の座標における目標値、またはＬａｂ色空間の座標における調整対象の色Ｐ０の値からの改変量で指定される。図６の例では、調整データ選択欄８４５において「相対値」が選択されていることから、調整対象の色Ｐ０の改変内容Ｔ０は、Ｌａｂ色空間の座標における調整対象の色Ｐ０の値からの改変量で指定される。
【０１６７】
調整範囲指定欄８５０は、調整対象のプロファイルのうち調整範囲を指定するための欄である。調整範囲指定欄８５０において、ユーザーは、指定された改変内容Ｔ０に応じて調整される範囲である調整範囲を色空間全体にするか、調整範囲として色空間全体の一部を指定するか、を選択可能である。より具体的には、調整範囲指定欄８５０においては、「入力空間全域」と「半径」を選択可能である。図６の例においては、調整範囲指定欄８５０において、調整範囲を色空間全体にする「入力空間全域」の選択がなされている。
【０１６８】
なお、調整範囲指定欄８５０において、色空間全体の一部を指定「半径」の選択がなされた場合、目標受付領域８４０において、ＰＣＳとしてのＬａｂ色空間における半径を入力する欄が表示される。Ｌａｂ色空間において、調整対象の色Ｐ０を中心として、指定された半径の球の内側にある色空間の階調値が、調整対象の色Ｐ０について指定された改変内容Ｔ０に応じて調整される。
【０１６９】
インテント指定欄８６０は、レンダリングインテントを指定するための欄である。インテント指定欄８６０においては、「Perceptual」（知覚的）、「Relative Colorimetric」（相対的測色的）、または「Saturation」（彩度重視）を選択可能である。インテント指定欄８６０において「Perceptual」（知覚的）が選択された場合には、調整後の色変換テーブルとして、知覚的な色変換を行うための色変換テーブルが生成される（図５のＡ２Ｂ０タグおよびＢ２Ａ０タグ参照）。インテント指定欄８６０において「Relative Colorimetric」（相対的測色的）が選択された場合には、調整後の色変換テーブルとして、相対的測色的な色変換を行うための色変換テーブルが生成される（図５のＡ２Ｂ１タグおよびＢ２Ａ１タグ参照）。インテント指定欄８６０において「Saturation」（彩度重視）が選択された場合には、調整後の色変換テーブルとして、彩度重視な色変換を行うための色変換テーブルが生成される（図５のＡ２Ｂ２タグおよびＢ２Ａ２タグ参照）。図６においては、指定インテントとして「Perceptual」が指定されている。
【０１７０】
（５）目標プリンターの印刷結果を目標とする製品用プリンターの印刷結果の調整：
図７は、目標プリンターの印刷結果を目標とする製品用プリンターの印刷結果の調整の処理を示す説明図である。図７の例においては、出力プロファイル６２０は、Ｂ２Ａテーブル６２１とＡ２Ｂテーブル６２２とを備えている（図７の中央部参照）。
【０１７１】
Ｂ２Ａテーブル６２１は、ＰＣＳ（プロファイル接続空間）としてのＬａｂ色空間における座標を、製品用プリンター２００のインク色ｃｍｙｋの色空間における座標に変換するためのテーブルである。
【０１７２】
Ａ２Ｂテーブル６２２は、製品用プリンター２００のインク色ｃｍｙｋの色空間における座標を、ＰＣＳとしてのＬａｂ色空間における座標に変換するためのテーブルである。Ａ２Ｂテーブル６２２による変換は、製品用プリンター２００に、製品用プリンター２００のインク色ｃｍｙｋの色空間において特定されている色データに従った印刷を行わせた場合に、製品用プリンター２００が形成する印刷物の色を、シミュレーションすることに相当する。
【０１７３】
入力プロファイル６１０（図７の中段左部参照）は、Ａ２Ｂテーブル６１１を備えている。入力プロファイル６１０が備えるＡ２Ｂテーブル６１１は、目標プリンター３００のインク色ＣＭＹＫの色空間における座標を、ＰＣＳとしてのＬａｂ色空間における座標に変換するためのテーブルである。図７においては、技術の理解を容易にするためえ、Ａ２Ｂテーブル６１１の図示を省略する。
【０１７４】
図７の例においては、製品用プリンター２００で生成される印刷物の色が、目標プリンター３００で生成された印刷物の色である目標色ＣTに近づくように、出力プロファイル６２０のＢ２Ａテーブル６２１の出力階調値が調整される（図７の中央部参照）。
【０１７５】
まず、目標プリンター３００用の色データＣＭＹＫinが変換されて生成された製品用プリンター２００用の色データｃｍｙｋpを、色調整ベクトルΔｃｍｙｋの初期値で改変する。色調整ベクトルΔｃｍｙｋの初期値によって改変された後の製品用プリンター２００用の色データｃｍｙｋpを、色データｃｍｙｋppと呼ぶ（図７の下段左部参照）。
【０１７６】
なお、複数の色調整ベクトルΔｃｍｙｋの初期値が、用意される。そして、複数の色調整ベクトルΔｃｍｙｋの初期値のうち、印刷結果に関する目的関数を最小にする色調整ベクトルΔｃｍｙｋが選択される。その後、選択された色調整ベクトルΔｃｍｙｋに基づいて、次の処理において使用される色調整ベクトルΔｃｍｙｋが決定される。このような処理を繰り返すことにより、最適な色調整ベクトルΔｃｍｙｋbが決定される。
【０１７７】
色調整ベクトルΔｃｍｙｋによって改変された色データｃｍｙｋppを出力プロファイル６２０のＡ２Ｂテーブル６２２で変換することにより、Ｌａｂ色空間の色データＬａｂS3が得られる（図７の下段右部参照）。Ｌａｂ色空間の色データＬａｂS3は、色データｃｍｙｋppに従った印刷を行わせた場合に、製品用プリンター２００が形成する印刷物の色を表す。
【０１７８】
一方、目標プリンター３００用の色データＣＭＹＫinが変換されて生成された製品用プリンター２００用の色データｃｍｙｋpを、出力プロファイル６２０のＡ２Ｂテーブル６２２で変換することにより、Ｌａｂ色空間の色データＬａｂS2が得られる（図７の下段右部参照）。Ｌａｂ色空間の色データＬａｂS2は、色データｃｍｙｋpに従った印刷を行わせた場合に、製品用プリンター２００が形成する印刷物の色を表す。色データＬａｂS2に、ユーザーによって指定された、調整対象の色Ｐ０の改変内容Ｔ０を表す色調整ベクトルΔＬａｂT-pを加えることにより、目標とする色を表す色データＬａｂSTが得られる（図７の中段右部、および図６のＰ０，Ｔ０参照）。
【０１７９】
色調整ベクトルΔｃｍｙｋの初期値によって改変された色データｃｍｙｋppに従って印刷を行わせた場合に、製品用プリンター２００が形成する印刷物の色の色データＬａｂS3（図７の下段右部参照）と、目標とする色を表す色データＬａｂST（図７の中段右部参照）と、の色差ΔＥ00が、それぞれの色調整ベクトルΔｃｍｙｋの初期値について、計算される。色調整ベクトルΔｃｍｙｋの各初期値について得られる色差ΔＥ00が、色調整ベクトルΔｃｍｙｋの各初期値がもたらす印刷結果と、理想的な色調整ベクトルΔｃｍｙｋiがもたらす印刷結果との差である。
【０１８０】
複数の色調整ベクトルΔｃｍｙｋのうち、色差ΔＥ00の２乗を構成要素として含む目的関数の値が最も小さい色調整ベクトルΔｃｍｙｋの初期値が、色調整ベクトルΔｃｍｙｋの複数の初期値の中から、選択される。そして、選択された色調整ベクトルΔｃｍｙｋの初期値に基づいて、次の処理で使用される複数の色調整ベクトルΔｃｍｙｋが、生成される。以下、同様の処理が繰り返され、最適な色調整ベクトルΔｃｍｙｋbが決定される。
【０１８１】
目標プリンター３００用の色データＣＭＹＫinが入力プロファイル６１０および出力プロファイル６２０のＢ２Ａテーブル６２１によって変換されて生成された製品用プリンター２００用の色データｃｍｙｋp（図７の中段右部参照）を、最適な色調整ベクトルΔｃｍｙｋbで調整することにより、以下の効果が得られる。すなわち、製品用プリンター２００で生成される印刷物の色を、目標プリンター３００で生成された印刷物の色である目標色ＣTに近づけることができる。最適な色調整ベクトルΔｃｍｙｋbによって、出力プロファイル６２０のＢ２Ａテーブル６２１の出力階調値が調整される（図７の中央部参照）。
【０１８２】
（６）製品用プリンター同士の印刷結果の調整：
図８は、製品用プリンター同士の印刷結果の調整の処理を示す説明図である。ここまでの説明では省略していたが、製品用プリンター２００においてシアン（ｃ）、マゼンタ（ｍ）、イエロー（ｙ）、ブラック（ｋ）に加えて、他の色のインクが使用される場合には、以下の処理が行われる。すなわち、シアン（ｃ）、マゼンタ（ｍ）、イエロー（ｙ）、ブラック（ｋ）の４色の各階調値の組み合わせで色が表現されている色データｃｍｙｋpは、色分版テーブル７５０を使用して、製品用プリンター２００において使用される５色以上のインクの色の各階調値の組み合わせで色が表現されている色データＩＮＫに変換される（図８の中段右部参照）。製品用プリンター２００は、色データＩＮＫに従って印刷を行う。図８において、シアン（ｃ）、マゼンタ（ｍ）、イエロー（ｙ）、ブラック（ｋ）の４色の各階調値の組み合わせで色が表現されている色データを色データｃｍｙｋp0で表す。製品用プリンター２００，２０１において使用される５色以上のインクの色の各階調値の組み合わせで色が表現されている色データを、色データＩＮＫ0，ＩＮＫ1で表す。
【０１８３】
同一の色データｃｍｙｋp0にしたがって、同一の機種の製品用プリンター２００，２０１で印刷が行われても、製品用プリンター２００の印刷結果において再現される色と、製品用プリンター２０１の印刷結果において再現される色とが、異なる場合がある。そのような場合には、以下のような処理によって、印刷結果において再現される色が統一される。
【０１８４】
一つの製品用プリンター２００が、基準プリンター２００として定められる。他の製品用プリンター２０１は、調整対象である対象プリンター２０１として定められる。対象プリンター２０１の印刷結果ＰＡ１において再現される色であって、色データＬａｂpで特定される色が、基準プリンター２００の印刷結果ＰＡ０において再現される色であって、色データＬａｂTで特定される色に近づくように、対象プリンター２０１に投入される色データが調整される。
【０１８５】
具体的には、ＲＩＰ４００から出力された色データｃｍｙｋp0が、キャリブレーション用のデバイスリンクプロファイル７００が有するデバイスリンクテーブル７０１によって、色データｃｍｙｋp1に変換される（図８の中央部参照）。色データｃｍｙｋp1は、色データｃｍｙｋp0に比べて、基準プリンター２００の印刷結果ＰＡ０において再現される色により近い色が、対象プリンター２０１において再現される色データである。なお、基準プリンター２００の印刷結果ＰＡ０において再現される色は、色データＬａｂTによって特定される。対象プリンター２０１の印刷結果ＰＡ１において再現される色は、色データＬａｂpによって特定される。
【０１８６】
デバイスリンクテーブル７０１は、シアン（ｃ）、マゼンタ（ｍ）、イエロー（ｙ）、ブラック（ｋ）の４色の各階調値の組み合わせを入力値とし、シアン（ｃ）、マゼンタ（ｍ）、イエロー（ｙ）、ブラック（ｋ）の４色の各階調値の組み合わせを出力値とする、テーブルである。デバイスリンクテーブル７０１は、以下のように生成される。
【０１８７】
まず、元テーブル７１１が用意される。元テーブル７１１は、シアン（ｃ）、マゼンタ（ｍ）、イエロー（ｙ）、ブラック（ｋ）の４色の各階調値の組み合わせを入力値とし、シアン（ｃ）、マゼンタ（ｍ）、イエロー（ｙ）、ブラック（ｋ）の４色の各階調値の組み合わせを出力値とする、テーブルである。元テーブル７１１において、出力値の各階調値の組み合わせは、入力値の各階調値の組み合わせと同じである。すなわち、元テーブル７１１による変換は、恒等変換である。
【０１８８】
デバイスリンクテーブル７０１は、元テーブル７１１の出力値を改変することにより、生成される。対象プリンター２０１で生成される印刷物の色が、基準プリンター２００で生成された印刷物の色である目標色ＣTに近づくように、元テーブル７１１の出力階調値の改変量Δｃｍｙｋが決定される。
【０１８９】
Ａ２Ｂテーブル６４１が用意される。Ａ２Ｂテーブル６４１は、対象プリンター２０１のインク色ｃｍｙｋの色空間における座標を、ＰＣＳ（プロファイル接続空間）としてのＬａｂ色空間における座標に変換するためのテーブルである。Ａ２Ｂテーブル６４１による変換は、対象プリンター２０１のインク色ｃｍｙｋの色空間において特定されている色データに従った印刷を、対象プリンター２０１に行わせた場合に、対象プリンター２０１が形成する印刷物の色を、シミュレーションすることに相当する。
【０１９０】
Ａ２Ｂテーブル６４１は以下のように生成される。カラーチャートを印刷させるためのｃｍｙｋ色空間における色データを、対象プリンター２０１に投入して、カラーチャートＣＨ１を印刷させる。カラーチャートＣＨ１の各色のパッチＰＡ１について、測色を行い、測色値Ｌａｂpを得る（図８の下段右部参照）。各パッチＰＡ１の測色値Ｌａｂp（Ｌ，ａ，ｂ）を、各パッチＰＡ１のｃｍｙｋ色空間における基本色の階調値の組み合わせ（ｃ，ｍ，ｙ，ｋ）と対応づけることにより、Ａ２Ｂテーブル６４１が生成される。
【０１９１】
差異データ６５０が用意される。差異データ６５０は、基準プリンター２００が再現する色と、対象プリンター２０１が再現する色と、の差を、Ｌａｂ色空間において表すデータである。差異データ６５０は以下のように生成される。カラーチャートを印刷させるためのｃｍｙｋ色空間における同一の色データを、基準プリンター２００と対象プリンター２０１に投入して、それぞれカラーチャートＣＨ０，ＣＨ１を印刷させる。そして、カラーチャートＣＨ０，ＣＨ１の対応するパッチＰＡ０，ＰＡ１について、測色を行い、測色値ＬａｂT，Ｌａｂpを得る（図８の上段右部および下段右部参照）。
【０１９２】
測色値ＬａｂT，Ｌａｂpの差（ΔＬ，Δａ，Δｂ）を、パッチＰＡ０またはＰＡ１のｃｍｙｋ色空間におけるシアン（ｃ）、マゼンタ（ｍ）、イエロー（ｙ）、ブラック（ｋ）の４色の各階調値の組み合わせと対応づける処理を、カラーチャートＣＨ０，ＣＨ１の各パッチについて行うことにより、差異データ６５０が生成される。その結果、生成される差異データ６５０は、ｃｍｙｋ色空間における基本色の階調値の組み合わせを入力とし、Ｌａｂ色空間における色差を出力とするテーブルである。基準プリンター２００が表現する色と対象プリンター２０１が表現する色との差を、ΔＬａｂT-pと表記する。
【０１９３】
その後、図７で説明した手法と同様の手法で、元テーブル７１１の出力階調値の改変量の最適値Δｃｍｙｋbが決定される。ただし、出力プロファイル６２０のＡ２Ｂテーブル６２２（図７の下段中央部参照）に代えて、対象プリンター２０１のシミュレーターとして機能するＡ２Ｂテーブル６４１（図８の下段中央部参照）が使用される。
【０１９４】
より具体的には、以下の処理が行われる。出力プロファイル６２０のＢ２Ａテーブル６２１の出力色データｃｍｙｋpは、元テーブル７１１を暫定的な改変量Δｃｍｙｋで改変して得られた暫定的なデバイスリンクテーブル７０１によって、変換された後に（図７の中央部参照）、Ａ２Ｂテーブル６４１に投入される。Ａ２Ｂテーブル６４１は、対象プリンター２０１のシミュレーターとして機能する。
【０１９５】
元テーブル７１１を改変した改変量Δｃｍｙｋの評価として、Ａ２Ｂテーブル６４１の出力の評価が行われる（図７の下段右部のＬａｂS3およびΔＥ00参照）。そのような処理が、複数の暫定的な改変量Δｃｍｙｋについて行われる。そして、印刷結果に関する目的関数を最小にする改変量Δｃｍｙｋが選択される。選択された改変量Δｃｍｙｋに基づいて、次の処理に使用される複数の改変量Δｃｍｙｋが生成される。そのような処理が繰り返されることにより、元テーブル７１１の出力階調値の改変量の最適値Δｃｍｙｋbが決定される。
【０１９６】
元テーブル７１１の出力階調値の改変量の最適値Δｃｍｙｋbによって、元テーブル７１１の出力階調値が改変されて、デバイスリンクテーブル７０１が生成される（図８の中央部参照）。
【０１９７】
この態様においては、Ｌａｂ色空間における座標を、製品用プリンター２００のインク色ｃｍｙｋの色空間における座標に変換するためのＢ２Ａテーブル６２１を調整するのではなく、Ｂ２Ａテーブル６２１の出力値を改変するデバイスリンクテーブル７０１を設けることによって、対象プリンター２０１によって再現される色が、基準プリンター２００によって再現される色に近づけられる。すなわち、調整のための処理は、ｃｍｙｋ色空間において行われている。このため、ＰＣＳ（プロファイル接続空間）としてのＬａｂ色空間と、プリンター用のｃｍｙｋ色空間との間の変換における、両空間の間のガマットマッピングによる影響を受けることなく、色調整を行うことができる。その結果、ｃｍｙｋ色空間において特定された同じ色データを受け取って色を再現する対象プリンター２０１と基準プリンター２００において再現される色を、高い精度で近づけることができる。
【０１９８】
なお、ＲＩＰ４００において、デバイスリンクテーブル７０１は、Ｂ２Ａテーブル６２１とは独立に保持されてもよいし、デバイスリンクテーブル７０１に基づいて出力値が改変されたＢ２Ａテーブル６２１が保持されてもよい。
【０１９９】
（７）色変換テーブルの作成処理：
図９は、色変換テーブルとしてのＢ２Ａテーブル６２１および色分版テーブル７５０を作成する処理を示すフローチャートである（図７の中央部および図８の６２１と７５０参照）。図９に示す処理は、メディアベンダーＭＶのコンピューター１００ｖよって、印刷設定情報Ｉｐｓの中のプリンターのプロファイルの情報１０６０を生成する際に、実行される（図１の上段右部および図２の６２０参照）。尚、図２の印刷設定情報Ｉｐｓの中のプリンターのプロファイルの情報１０６０には、出力プロファイル６２０の記載のみとしているが、色分版テーブル７５０を含めても良い。
【０２００】
Ｂ２Ａテーブル６２１および色分版テーブル７５０（図７の中央部および図８の６２１と７５０参照）の作成処理においては、ＰＣＳとしてのＬａｂ色空間における階調値の組み合わせに対応する、ｃｍｙｋ色空間における階調値の組み合わせが決定される。本明細書においては、ＰＣＳとしてのＬａｂ色空間における階調値の組み合わせを、「格子点」とも呼ぶ。ｃｍｙｋ色空間における階調値を、「インク量」とも呼ぶ。
【０２０１】
ステップＳ１１においては、初期設定として、ユーザーの操作に応じて、インク量の使用制限が設定される。
【０２０２】
ステップＳ１２においては、ユーザーの操作に応じて、特定の格子点におけるインク量が設定される。
【０２０３】
ステップＳ１３においては、インク量を決定する対象となる１つの格子点である対象格子点が、選択される。対象格子点を選択する方法としては、特開２０１１−２２３３４５号公報に記載された公知の技術を用いることができる。以下で処理の概要を説明する。
【０２０４】
色変換テーブルのある座標軸方向に沿って、Ｎ個（Ｎは２ｎで表される整数。ｎは正の整数）の格子点があるものとする。それらＮ個の格子点は、座標軸の方向に沿った並びの順に格子点番号（１〜Ｎ）を有しているものとする。それらの格子点には、以下の処理に従って、処理番号が付される。
【０２０５】
まず、１番の格子点に処理順番として１が付され、Ｎ番の格子点に処理順番として２が付される。その後、処理順番が決定済みの隣り合う格子点の組み合わせのうち、もっとも格子点番号の差が大きい１組の格子点が選択され、その１組の格子点の中点の格子点に、次の処理順番が割り当てられる。なお、もっとも格子点番号の差が大きい格子点の組み合わせが複数ある場合には、もっとも小さい格子点番号の格子点を含む組み合わせが選択される。このような処理により、各格子点に処理番号が付される。
【０２０６】
ステップＳ１３においては、座標軸方向に沿って並ぶ格子点であって、インク量が決定されていない格子点のうち、最も処理順番が小さい格子点が、対象格子点として、選択される。
【０２０７】
ステップＳ２０においては、対象格子点について、仮想色彩値が決定される。仮想色彩値は、具体的には、ｃｍｙｋ色空間における各インク色の階調値である。色変換テーブルの頂点にある格子点を含む一部の格子点については、以下で述べる方法とは異なる方法で、あらかじめ仮想色彩値が決定される。色変換テーブルの頂点にある格子点とは、色変換テーブルの色空間における各座標軸についての階調値の最大値または最小値の組み合わせで、座標が特定される格子点である。
【０２０８】
色変換テーブルの内の対象格子点の両側においてそれぞれ対象格子点に最も近い位置にある二つの格子点については、処理順番にしたがって、すでに仮想色彩値が決定されている。それらの両側の格子点の仮想色彩値を使用して、対象格子点の仮想色彩値が決定される。具体的には、仮想色彩値、より具体的には、ｃｍｙｋのいずれかの階調値を出力とする３次スプライン関数であって、それら仮想色彩値が既知の２個の格子点と、仮想色彩値が未確定の対象格子点と、を結ぶ３次スプライン関数が作成される。その３次スプライン関数の２次微分値の２乗和が最小となるように、対象格子点の仮想色彩値が決定される。
【０２０９】
ステップＳ３０においては、ユーザーによって指定されたインク量使用制限の範囲内で色再現範囲が最大となるよう、一部の対象格子点の仮想色彩値が改変される。
【０２１０】
ステップＳ４０においては、対象格子点に対応するインク量の合計を最大化する処理が行われる。この処理により、たとえば、ブラックのインク量の一部が、シアン、マゼンタ、イエロのインク量の組み合わせに置き換えられる。その結果、印刷結果の粒状性が改善される。
【０２１１】
ステップＳ５０においては、インク量階調性が最良となるように、対象格子点に対応するインク量が決定される。色変換テーブルの頂点にある格子点を含む一部の格子点については、以下で述べる方法とは異なる方法で、あらかじめインク量が決定されている（Ｓ１２参照）。
【０２１２】
対象格子点の両側においてそれぞれ対象格子点に最も近い位置にある二つの格子点については、処理順番にしたがって、すでにインク量が決定されている。それらの両側の格子点のインク量を使用して、対象格子点のインク量が決定される。具体的には、インク量を出力とする３次スプライン関数であって、それらインク量が既知の２個の格子点と、インク量が未確定の対象格子点と、を結ぶ３次スプライン関数が作成される。その３次スプライン関数の２次微分値の２乗和が最小となるように、対象格子点のインク量が決定される。その結果、インク量階調性が最良となるように、対象格子点に対応するインク量が決定される。
【０２１３】
ステップＳ１４においては、色変換テーブルの内のすべての格子点について、インク量が決定されたか否かが判定される。インク量が決定されていない格子点が存在する場合には、処理は、ステップＳ１３に戻る。すべての格子点について、インク量が決定された場合には、処理は終了する。
【０２１４】
以上の処理により、色変換テーブルとしてのＢ２Ａテーブル６２１および色分版テーブル７５０を生成することができる（図７の中央部および図８の６２１と７５０参照）。
【０２１５】
図９に示す色変換テーブルの作成方法では、複数の格子点を結ぶ３次スプライン関数を用いて、その２次微分値の２乗和が最小となるよう、仮想色彩値が決定される。また、複数の格子点を接続する３次スプライン関数を用いて、その２次微分値の２乗和を最小にするように、各格子点のインク量の組み合わせが決定される。このため、印刷結果の色彩値の階調性と、インク量の階調性の向上を両立させた印刷が実現できる。
【０２１６】
また、本実施形態の色変換テーブルの作成方法を用いれば、色変換テーブルを予め作成することができるだけでなく、印刷条件が変わるたびに、色変換テーブルを再作成することもできる。
【０２１７】
Ｃ．他の実施形態：
Ｃ１．他の形態１
（１）上記実施形態においては、プリンター２００は、印刷物に付された色を測色するための分光測色器と、印刷物上に形成された画像を撮影するためのデジタルスチルカメラと、を備える。しかし、印刷設定情報を生成する際に使用されるプリンターは、分光測色器とデジタルスチルカメラの少なくと一方を備えない態様とすることができる。たとえば、メディアベンダーＭＶは、別途、印刷結果の品質を決定するためのセンサーを用意してもよい。そのようなセンサーは、プリンタープロバイダーＰＰがメディアベンダーＭＶに貸与してもよい。
【０２１８】
（２）上記実施形態においては、品質レベル情報１１３０は、印刷結果についての色再現精度、色再現範囲、階調特性、粒状性、およびインク滲みの評価値を含む（図２参照）。しかし、品質レベル情報は、色再現精度、色再現範囲、階調特性、粒状性、およびインク滲みの評価値のうちの少なくとも一部を含まない態様とすることもできる。品質レベル情報は、印刷結果についての他の評価値を含むこともできる。
【０２１９】
（３）上記実施形態においては、ラミネート加工用の記録媒体がＲＦＩＤ（Radio Frequency IDentifier）やＱＲコード（登録商標）を備えている。そして、ＲＦＩＤやＱＲコードから読み取った情報を、管理サーバーＳｖに送信することにより、印刷業者ＰＣａ，ＰＣｂは、ラミネート加工用の印刷設定情報Ｉｐｓをダウンロードできるようになる。しかし、このような処理は、ラミネート加工用の記録媒体用の印刷設定情報Ｉｐｓに限らず、様々な記録媒体について作成された印刷設定情報Ｉｐｓにも、適用することができる。そのような態様においては、印刷設定情報Ｉｐｓの選択の際の印刷媒体の種類の指定は、自動的に行われることができる。
【０２２０】
（４）上記実施形態においては、印刷業者は、プリンター２００を制御するソフトウェアに、印刷設定情報Ｉｐｓに基づく設定を行い、印刷を行う。しかし、印刷設定情報Ｉｐｓに基づく設定は、プリンターに対して直接行われてもよい。また、印刷設定情報Ｉｐｓに基づく設定は、プリンターおよびプリンターを制御するソフトウェアの両方に、行われてもよい。
【０２２１】
（５）図１においては、メディアベンダーＭＶ、印刷業者ＰＣａ，ＰＣｂ，ＰＣａｓ、営業所ＰＣａｏ、プリンタープロバイダーＰＰおよび管理サーバーＳｖが有するコンピューター１００ａ，１００ｂ，１００ａｓ，１００ａｏ，１００ｐｐ，１００ｓ，１００ｖは、それぞれ一つの筐体を持つコンピューターとして描かれている。しかし、これらのコンピューターのぞれぞれは、ネットワークで接続された複数のコンピューターで実現されていてもよい。また、一つのコンピューターが、コンピューター１００ａ，１００ｂ，１００ａｓ，１００ａｏ，１００ｐｐ，１００ｓ，１００ｖのうちの複数のコンピューターの機能を実現してもよい。
【０２２２】
（６）上記実施形態においては、印刷設定情報Ｉｐｓの作成やアップロードを含むメディアベンダーＭＶによって行われる処理は、プリンタープロバイダーＰＰによっても行われる（図１の下段右部参照）。しかし、プリンタープロバイダーＰＰは、メディアベンダーＭＶによって行われる処理を行わない態様とすることもできる。
【０２２３】
（７）上記実施形態においては、印刷設定情報Ｉｐｓの作成やアップロードを含む処理は、メディアベンダーＭＶおよびプリンタープロバイダーＰＰによって行われる（図１の右部参照）。しかし、メディアベンダーＭＶは、印刷設定情報Ｉｐｓの作成やアップロードを含む処理を行わない態様とすることもできる。
【０２２４】
（８）上記実施形態においては、プリンタープロバイダーＰＰは、メディアベンダーＭＶに、プリンター２００ｖとプロファイル作成ツールＰＭＴを提供する（図１の中段右部参照）。この提供の態様は、プリンタープロバイダーＰＰからメディアベンダーＭＶへの、直接的な、または代理店を介した、販売または貸与（ライセンスの供与を含む）とすることができる。また、この提供の態様は、市場を介した、販売または貸与とすることができる。
【０２２５】
上記実施形態においては、プリンタープロバイダーＰＰは、メディアベンダーＭＶに、プリンター２００ｖとプロファイル作成ツールＰＭＴを提供する（図１の中段右部参照）。しかし、メディアベンダーＭＶにプリンター２００ｖを提供する主体と、メディアベンダーＭＶにプロファイル作成ツールＰＭＴを提供する主体とは、異なっていてもよい。すなわち、プリンタープロバイダーＰＰが、メディアベンダーＭＶにプリンター２００ｖを提供し、プリンタープロバイダーＰＰとは異なるツールベンダーが、メディアベンダーＭＶにプロファイル作成ツールＰＭＴを提供してもよい。
【０２２６】
（９）上記実施形態においては、ダウンロード回数Ｎｉ、インク集計量Ｖｉｂ，Ｖｉａ、媒体集計量Ｖｍａ，Ｖｍｂは、一定期間ごと、たとえば１ヶ月ごとにクリアされ、初めから再びカウントされる。そして、インク集計量Ｖｉｂ，Ｖｉａ、媒体集計量Ｖｍａ，Ｖｍｂは１ヶ月ごとに対価または報酬の計算に使用される。しかし、これらの測定値は、１週間、３ヶ月、６ヶ月など、他の期間で測定されてもよい。また、これらの測定値は、互いに異なる機関で測定されてもよい。
【０２２７】
（１０）上記実施形態においては、印刷業者ＰＣａのコンピューター１００ａは、インク消費量Ｖｉ、媒体消費量Ｖｍを、管理サーバーＳｖにアップロードする（図１の中央部参照）。印刷業者のコンピューターは、さらに他の情報を、管理サーバーＳｖにアップロードすることができる。
【０２２８】
印刷業者ＰＣａのコンピューター１００ａは、印刷業者ＰＣａが所有するプリンターの稼働率および稼働時間を、管理サーバーＳｖにアップロードすることができる。印刷業者ＰＣａのコンピューター１００ａは、印刷業者ＰＣａが所有するプリンターの稼働予定時間を、管理サーバーＳｖにアップロードすることができる。このような態様においては、注文者ＯＰは、管理サーバーＳｖにアクセスして、各印刷業者のプリンターの稼働予定時間、稼働率などを確認して、ジョブＪｂを各印刷業者に割り当てることができる。
【０２２９】
印刷業者ＰＣａのコンピューター１００ａは、印刷媒体ＭＤの種類ごとのプリンター２００ａへの装着率を、管理サーバーＳｖにアップロードすることができる。印刷業者ＰＣａのコンピューター１００ａは、たとえば、１ヶ月や半年などの単位時間当たりの印刷媒体ＭＤの種類ごとの消費率を、管理サーバーＳｖにアップロードすることができる。印刷業者ＰＣａのコンピューター１００ａは、ロット間の印刷結果の品質のばらつきのデータ、および注文者ＯＰから得たジョブＪｂの評価結果のデータを、管理サーバーＳｖにアップロードすることができる。
【０２３０】
このような態様においては、管理サーバーＳｖは、それらのデータをメディアベンダーＭＶに提供することができる。メディアベンダーＭＶは、印刷媒体ＭＤの種類ごとのプリンター２００ａへの装着率や消費率に基づいて、印刷媒体ＭＤの種類ごとの生産計画をたてることができる。メディアベンダーＭＶは、ロット間の印刷結果の品質のばらつきのデータ、および注文者ＯＰから得たジョブＪｂの評価結果のデータに基づいて、印刷媒体ＭＤの品質管理を行うことができる。
【０２３１】
印刷業者ＰＣａのコンピューター１００ａは、印刷物ＰＭをプリンター２００ａのセンサーで測定して得られたセンサーデータ、およびインクごとの印刷における使用量を、管理サーバーＳｖにアップロードすることができる。プリンター２００ａの各ノズルの駆動回数および各駆動により吐出された液滴の種類の情報を、プリンター２００ａから得ることにより、コンピューター１００ａは、インクごとの印刷における使用量を計算することができる。
【０２３２】
このような態様においては、管理サーバーＳｖは、それらのデータをプリンタープロバイダーＰＰに提供することができる。プリンタープロバイダーＰＰは、インクごとの印刷における使用量に基づいて、対価Ｐｃｐ２（図１の下段右部参照）を計算することができる。このような処理を行うことにより、ノズルのクリーニングや、印刷開始前のインクの予備吐出で消費される消費されるインクなど、印刷業者ＰＣａに直接的な利益をもたらしていないインク消費を除いて、対価Ｐｃｐ２を決定することができる。
【０２３３】
プリンタープロバイダーＰＰは、センサーデータおよびインクごとの印刷における使用量に基づいて、適切なタイミングで、印刷業者ＰＣａのプリンター２００ａのメンテナンスサービスの提供を行うことができる。プリンタープロバイダーＰＰは、センサーデータを考慮して、プリンターの生産および新たなプリンターの設計を行うことができる。
【０２３４】
管理サーバーＳｖは、印刷設定情報Ｉｐｓごとのダウンロード量を、プリンタープロバイダーＰＰに提供することができる。プリンタープロバイダーＰＰは、印刷設定情報Ｉｐｓごとのダウンロード量に基づいて、対価Ｐｃｖ（図１の中段右部参照）を計算することができる。このような処理を行うことにより、実績に基づいて、適切に対価Ｐｃｖを設定することができる。
【０２３５】
（１１）上記実施形態においては、図３のステップＳ１２０において、管理サーバーＳｖは、プリンター２００ｓでカラーチャートの印刷を行う。管理サーバーＳｖは、カラーチャートの印刷結果をプリンター２００ｓのセンサーで測定して、センサーの出力に基づいて、印刷結果の品質に関する評価値を決定する。しかし、管理サーバーＳｖは、カラーチャートの印刷および測定を行わない態様とすることもできる。
【０２３６】
そのような態様においては、メディアベンダーＭＶが、印刷設定情報Ｉｐｓの管理サーバーＳｖへの送信に先立って、管理サーバーＳｖに送信しようとする印刷設定情報Ｉｐｓにしたがって、プリンター２００ｖでカラーチャートの印刷を行う。印刷の方法は、図３のステップＳ１２０における方法と同じである。
【０２３７】
メディアベンダーＭＶは、カラーチャートの印刷結果をプリンター２００ｖのセンサーで測定して、センサーの出力に基づいて、印刷結果の品質に関する評価値を決定する。評価値の決定方法は、メディアベンダーＭＶにおいて、印刷結果の評価値を決定する際の方法と同じである。メディアベンダーＭＶは、印刷結果の評価値を、管理サーバーＳｖに送信しようとする印刷設定情報Ｉｐｓに含める。
【０２３８】
図３のステップＳ１２０において、管理サーバーＳｖは、印刷設定情報Ｉｐｓに含まれている印刷結果の評価値に基づいて、印刷設定情報Ｉｐｓが、あらかじめ定められた印刷結果に関する条件を満たすか否かを判断する。このような態様においては、管理サーバーＳｖに、印刷を行うためのオペレータを配置する必要がない。また、メディアベンダーＭＶは、印刷設定情報Ｉｐｓの生成の際にプリンター２００ｖで使用した印刷媒体ＭＤのサンプルを、管理サーバーＳｖに送付する必要がない。
【０２３９】
（１２）上記実施形態においては、ラミネート加工用の記録媒体がＲＦＩＤやＱＲコード（登録商標）を備えている態様について、説明した。しかし、ラミネート加工を行うことが想定されていない記録媒体についても、ＲＦＩＤやＱＲコード（登録商標）を備える態様とすることができる。そのような態様についても、ＲＦＩＤやＱＲコードから読み取った情報を、印刷業者が管理サーバーＳｖに送信することにより、その記録媒体用に設けられた印刷設定情報Ｉｐｓをダウンロードできるようにすることができる。
【０２４０】
Ｃ２．他の形態２：
上記実施形態においては、印刷設定情報Ｉｐｓは、以下の情報を含む（図２参照）：対象とするプリンターの機種の情報１０１０、対象とする印刷媒体の種類の情報１０２０、対象とするプリンターにおいて使用されるべきインクの種類の情報１０３０、対象とするプリンターにおいて使用されるべき印刷モードの情報１０４０、対象とするプリンターにおける媒体の送り速度を含むプリンターの動作設定パラメーターの情報１０５０、対象とするプリンターのプロファイルの情報１０６０。
【０２４１】
しかし、印刷設定情報Ｉｐｓは、これらのうちの少なくとも一部を含まない態様とすることもできる。ただし、印刷設定情報Ｉｐｓは、対象とするプリンターの機種の情報１０１０、対象とする印刷媒体の種類の情報１０２０、および対象とするプリンターにおいて使用されるべきインクの種類の情報１０３０を含むことが好ましい。
【０２４２】
Ｃ３．他の形態３：
上記実施形態においては、プリンタープロバイダーＰＰは、媒体集計量Ｖｍｂに基づいて決定される報酬Ｐｃｒを、支払う（図１の上段中央部および上段右部参照）。媒体集計量Ｖｍｂは、印刷設定情報Ｉｐｓを作成したメディアベンダーＭＶに、印刷設定情報Ｉｐｓに基づく設定が行われたクライアントプリンター２００ａ，２００ｂによる印刷において使用された印刷媒体ＭＤの量である。しかし、報酬Ｐｃｒは、他の方法で決定されてもよい。
【０２４３】
（１）印刷設定情報Ｉｐｓごとに集計されたインク集計量Ｖｉｂ（図１の上段中央参照）も、印刷業者ＰＣａ，ＰＣｂにおいて各印刷設定情報Ｉｐｓに基づく設定が行われたクライアントプリンター２００ａ，２００ｂによる印刷の実績を表す。このため、以下のような態様を採用することもできる。
【０２４４】
プリンタープロバイダーＰＰは、一定期間ごと、たとえば１ヶ月ごとに、管理サーバーＳｖから、媒体集計量Ｖｍｂを取得する。プリンタープロバイダーＰＰは、印刷設定情報Ｉｐｓごとの媒体集計量Ｖｍｂに基づいて、報酬Ｐｃｒを決定する。そして、プリンタープロバイダーＰＰは、その報酬Ｐｃｒを、印刷設定情報Ｉｐｓを作成したメディアベンダーＭＶに、支払う。
【０２４５】
この態様においても、管理サーバーＳｖからのダウンロードされた回数Ｎｉに基づいてメディアベンダーＭＶに支払われる報酬Ｐｃｒが決定される態様に比べて、報酬Ｐｃｒが印刷業者ＰＣａ，ＰＣｂにおける実際の利用実績を反映して決定されやすい。
【０２４６】
（２）印刷設定情報Ｉｐｓごと測定されているダウンロード回数Ｎｉも、印刷業者ＰＣａ，ＰＣｂにおいて各印刷設定情報Ｉｐｓに基づく設定が行われたクライアントプリンター２００ａ，２００ｂによる印刷の実績を表す。このため、以下のような態様を採用することもできる。
【０２４７】
プリンタープロバイダーＰＰは、一定期間ごと、たとえば１ヶ月ごとに、管理サーバーＳｖから、印刷設定情報Ｉｐｓごとに測定されているダウンロード回数Ｎｉを取得する。プリンタープロバイダーＰＰは、印刷設定情報Ｉｐｓがダウンロードされた回数Ｎｉに基づい、報酬Ｐｃｒを決定する。そして、プリンタープロバイダーＰＰは、その報酬Ｐｃｒを、印刷設定情報Ｉｐｓを作成したメディアベンダーＭＶに、支払ってもよい。
【０２４８】
印刷設定情報Ｉｐｓがダウンロードされた回数Ｎｉは、管理サーバーＳｖにおいて測定される。このため、印刷業者ＰＣａ，ＰＣｂ，ＰＣａｓにおいて使用された印刷媒体ＭＤの量Ｖｍやインクの量Ｖｉを管理サーバーＳｖが受信し、それらを集計して得られる媒体集計量Ｖｍｂおよびインク集計量Ｖｉｂに比べて、容易に把握できる。このため、対価Ｐｃｒを決定する処理が容易である。
【０２４９】
Ｄ．さらに他の形態：
本開示は、上述した実施形態に限られるものではなく、その趣旨を逸脱しない範囲において種々の形態で実現することができる。例えば、本開示は、以下の形態によっても実現可能である。以下に記載した各形態中の技術的特徴に対応する上記実施形態中の技術的特徴は、本開示の課題の一部又は全部を解決するために、あるいは、本開示の効果の一部又は全部を達成するために、適宜、差し替えや、組み合わせを行うことが可能である。また、その技術的特徴が本明細書中に必須なものとして説明されていなければ、適宜、削除することが可能である。
【０２５０】
（１）本開示の一形態によれば、プリンターを提供する第１プロバイダーと、印刷媒体を提供する第２プロバイダーと、前記プリンターを使用して前記印刷媒体に印刷を行う１以上のクライアントと、情報を処理し記憶する記憶部とが、ネットワークを介して接続されている印刷システムが提供される。前記第１プロバイダーは、前記第２プロバイダーに、プロバイダープリンターと、ソフトウェアとしてのプロファイル作成ツールと、を提供し、前記第２プロバイダーは、前記プロバイダープリンターと前記プロファイル作成ツールとを使用して、前記プロバイダープリンターと印刷媒体との組み合わせに応じたプロファイルを含む印刷設定情報を作成し、前記印刷設定情報を前記記憶部に記憶させるために、前記記憶部に前記印刷設定情報を送信する処理を、前記第２プロバイダーが提供する１以上の印刷媒体について実行し、前記クライアントは、前記クライアントにおいて印刷に使用されるクライアントプリンターと前記印刷に使用される印刷媒体との組み合わせに応じた前記印刷設定情報を、前記記憶部からダウンロードし、前記クライアントプリンターを制御するソフトウェアまたは前記クライアントプリンターに、前記印刷設定情報に基づく設定を行って、前記印刷を行い、前記第１プロバイダーは、前記クライアントにおいて前記印刷設定情報に基づく設定が行われた前記クライアントプリンターによって行われた前記印刷の実績に基づいて決定される報酬を、前記印刷設定情報を作成した前記第２プロバイダーに支払う。
このような態様とすることにより、クライアントに頻繁に利用され、クライアントにとって使用価値のある印刷設定情報を作成するインセンティブを、第２プロバイダーに与えることができる。その結果、クライアントにとって使用価値のある、高品質な印刷を実現可能な印刷設定情報が、第２プロバイダーによって、生成される。また、報酬が刷の実績に基づいて決定されるため、報酬を公正に定めることができる。
【０２５１】
（２）上記形態の印刷システムにおいて、前記印刷設定情報は、対象とするプリンターの機種、対象とする印刷媒体の種類、前記対象とするプリンターにおいて使用されるインクの種類、前記対象とするプリンターにおいて使用される印刷モード、前記対象とするプリンターにおける媒体の送り速度を含む前記プリンターの設定パラメーター、および前記対象とするプリンターの前記プロファイルを含む、態様とすることもできる。
このような態様とすれば、クライアントは、クライアントプリンターを制御するソフトウェアまたはクライアントプリンターに、印刷設定情報に基づく設定を行い、印刷を行うことにより、第２プロバイダーが（ｉ）クライアントプリンターの機種、（ｉｉ）印刷媒体の種類、（ｉｉｉ）インクの種類、（ｉｖ）印刷モード、および（ｖ）前記設定パラメーターを指定して、プロファイルを作成した際に想定した品質を有する印刷物を得ることができる。
【０２５２】
（３）上記形態の印刷システムにおいて、前記クライアントは、前記印刷設定情報に基づく設定が行われた前記クライアントプリンターによる前記印刷において使用された前記印刷媒体の量を、測定し、前記第１プロバイダーは、前記印刷設定情報を作成した前記第２プロバイダーに、前記印刷設定情報に基づく設定が行われた前記クライアントプリンターによる前記印刷において使用された前記印刷媒体の量に基づいて決定される前記報酬を、支払う、態様とすることもできる。
このような態様においては、印刷において使用された印刷媒体の量に基づいて、第２プロバイダーに支払われる報酬が、決定される。このため、記憶部からのダウンロードされた回数に基づいて第２プロバイダーに支払われる報酬が決定される態様に比べて、報酬がクライアントにおける実際の利用実績を反映して決定されやすい。
【０２５３】
（４）上記形態の印刷システムにおいて、前記クライアントは、前記印刷設定情報に基づく設定が行われた前記クライアントプリンターによる前記印刷において使用されたインクの量を、測定し、前記第１プロバイダーは、前記印刷設定情報を作成した前記第２プロバイダーに、前記印刷設定情報に基づく設定が行われた前記クライアントプリンターによる前記印刷において使用されたインクの量に基づいて決定される前記報酬を、支払う、態様とすることもできる。
このような態様においては、印刷において使用されたインクの量に基づいて、第２プロバイダーに支払われる報酬が、決定される。このため、記憶部からのダウンロードされた回数に基づいて第２プロバイダーに支払われる報酬が決定される態様に比べて、報酬がクライアントにおける実際の利用実績を反映して決定されやすい。
【０２５４】
（５）上記形態の印刷システムにおいて、前記記憶部は、前記印刷設定情報ごとに、前記クライアントによってダウンロードされた回数を、測定し、前記第１プロバイダーは、前記印刷設定情報を作成した前記第２プロバイダーに、前記印刷設定情報がダウンロードされた前記回数に基づいて決定される前記報酬を、支払う、態様とすることもできる。
このような態様においては、報酬が、印刷設定情報がダウンロードされた回数に基づいて決定される。印刷設定情報がダウンロードされた回数は、記憶部を使用することにより、クライアントにおいて使用された印刷媒体の量に比べて、容易に把握できる。このため、印刷媒体の量に基づいて報酬が決定される態様に比べて、報酬を決定する処理が容易である。
【０２５５】
本開示は、印刷システム以外の種々の形態で実現することも可能である。例えば、印刷処理方法や、印刷媒体の提供方法、対価の提供方法、報酬の提供方法、それらの方法を実現するコンピュータープログラム、そのコンピュータープログラムを記録した一時的でない記録媒体等の形態で実現することができる。
【０２５６】
上述した本開示の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本開示の一形態に含まれる技術的特徴の一部又は全部を上述した本開示の他の形態に含まれる技術的特徴の一部又は全部と組み合わせて、本開示の独立した一形態とすることも可能である。
【符号の説明】
【０２５７】
１００ａ，１００ｂ，１００ｓ，１００ｖ，１００ａｓ，１００ａｏ…コンピューター、１１１ａ，１１１ｂ，１１１ｓ，１１１ｖ，１１１ａｓ，１１１ａｏ…ＣＰＵ、１１２ａ，１１２ｂ，１１２ｓ，１１２ｖ，１１２ａｓ，１１２ａｏ…ＲＯＭ、１１３ａ，１１３ｂ，１１３ｓ，１１３ｖ，１１３ａｓ，１１３ａｏ…ＲＡＭ、１１５ａ，１１５ｂ，１１５ｓ，１１５ｖ，１１５ａｓ，１１５ａｏ…表示装置、１１６ａ，１１６ｂ，１１６ｓ，１１６ｖ，１１６ａｓ，１１６ａｏ…入力装置、２００ａ，２００ｂ，２００ｓ，２００ｖ，２００ａｓ…プリンター、２００，２０１…製品用プリンター、３００…目標プリンター、４００…ＲＩＰ（ラスターイメージプロセエッサー）、５００…ＩＣＣプロファイル、５１０…プロファイルヘッダー、５２０…タグテーブル、５２１…タグ、５２３…プライベートタグ、５３０…エレメントデータ、６１０…入力プロファイル、６１１…Ａ２Ｂテーブル、６２０…出力プロファイル、６２１…Ｂ２Ａテーブル、６２２…Ａ２Ｂテーブル、６３０…デバイスリンクプロファイル、６４０…カラーライブラリー、６４１…Ａ２Ｂテーブル、６５０…差異データ、７００…キャリブレーション用デバイスリンクプロファイル、７０１…デバイスリンクテーブル、７１１…元テーブル、７５０…色分版テーブル、８００…ユーザーインターフェイス画面、８１１…入力プロファイル選択欄、８１２…出力プロファイル選択欄、８１３…デバイスリンクプロファイル選択欄、８２０…調整対象プロファイル指定欄、８３０…調整対象色空間選択欄、８４０…目標受付領域、８４５…調整データ選択欄、８５０…調整範囲指定欄、８６０…インテント指定欄、８７０…調整実施ボタン、１０１０…プリンターの機種の情報、１０２０…印刷媒体の種類の情報、１０３０…インクの種類の情報、１０４０…印刷モードの情報、１０５０…プリンターの動作設定パラメーターの情報、１０６０…プロファイル、１１１０…作成者ＩＤ、１１２０…作成方法の情報、１１３０…品質レベル情報、ＣＨ０，ＣＨ１…カラーチャート、ＣＭＹＫin…インク色で表された色データ、ＣT…目標色、Ｄ０…印刷原稿データ、ＩＮＫ0，ＩＮＫ1…使用されるインクのインク色で表された色データ、Ｉｐｓ…印刷設定情報、Ｊｂ…ジョブ、Ｌａｂp，ＬａｂS，ＬａｂS1，ＬａｂS2，ＬａｂS3，ＬａｂST，ＬａｂT…Ｌａｂ色空間で特定された色データ、ＭＤ…印刷媒体、ＭＶ…メディアベンダー、Ｎｉ…ダウンロード回数、ＯＰ…注文者、Ｐ０…調整対象の色、ＰＡ０…印刷結果（パッチ）、ＰＡ１…印刷結果（パッチ）、ＰＣａ，ＰＣｂ…印刷業者、ＰＣａｏ…印刷業者ＰＣａの営業所、ＰＣａｓ…印刷業者（印刷業者ＰＣａの子会社）、ＰＭ…印刷物、ＰＭＴ…プロファイル作成ツール、ＰＰ…プリンタープロバイダー、ＰＳ…印刷システム、Ｐｃｐ０，Ｐｃｐ１，Ｐｃｐ２，Ｐｃｖ…対価、Ｐｃｒ…報酬（対価）、Ｓｖ…管理サーバー、Ｔ０…改変内容、Ｖｉ…インク消費量、Ｖｉａ…インク集計量、Ｖｉｂ…インク集計量、Ｖｍ…媒体消費量、Ｖｍａ…媒体集計量、Ｖｍｂ…媒体集計量、ｃｍｙｋp，ｃｍｙｋp0，ｃｍｙｋp1，ｃｍｙｋpp…インク色で表された色データ、ΔＥ00…色差、ΔＬａｂT-p…色調整ベクトル、Δｃ��ｙｋ…色調整ベクトル（改変量）、Δｃｍｙｋb…最適な色調整ベクトル
【図１】
2020170275.tif 000003
【図２】
2020170275.tif 000004
【図３】
2020170275.tif 000005
【図４】
2020170275.tif 000006
【図５】
2020170275.tif 000007
【図６】
2020170275.tif 000008
【図７】
2020170275.tif 000009
【図８】
2020170275.tif 000010
【図９】
2020170275.tif 000011